(57)【要約】      （修正有）【課題】蓋とシール部材除去ユニットを一体形成し、蓋の離脱と連動したシール部材の自動除去を可能にすることで、円滑に利用できる小児用の安全蓋を提供する。【解決手段】容器口部１２に取り付けられる内部蓋１４と、内部蓋が一緒に回転しないようにした状態で内部蓋の外周面に配置される外部蓋１６と、内部蓋と外部蓋との間に形成され、外部蓋を所定の力を上回る力を加えて下側方向に移動させる時のみ、外部蓋の回転力を内部蓋に伝達する回転力伝達部１８と、内部蓋に形成され、内部蓋を容器口部から離脱すると、容器口部を封入するシール部材２０を除去して内部蓋の内部に保持するシール部材除去ユニット２２と、で構成する。【選択図】図３
2014221669.tif 000002
【特許請求の範囲】
【請求項１】
容器口部に取り付けられる内部蓋と、
該内部蓋が一緒に回転しないようにした状態で前記内部蓋の外周面に配置される外部蓋と、
前記内部蓋と該外部蓋との間に形成され、前記外部蓋を所定の力を上回る力を加えて下側方向に移動させる時のみ、前記外部蓋の回転力を前記内部蓋に伝達する回転力伝達部と、
前記内部蓋に形成され、前記内部蓋を容器口部から離脱すると、前記容器口部を封入するシール部材を除去し、除去されたシール部材を内部蓋の内部に保持するシール部材除去ユニットと、
で構成され、
前記内部蓋は、上端と下端が開口し、
前記内部蓋の下側内周面には、前記容器口部の外周面に形成された雄ネジ部に螺合する雌ネジ部が形成され、
前記内部蓋の下側外周面より、前記外部蓋から離脱することを防止する離脱防止突起が突出し、
前記外部蓋は、上下方向に移動可能な状態で前記内部蓋が挿入され、その上端と下端が開放し、
前記外部蓋の外周面には、使用者が把持して回すのが容易になる複数の凹凸部が形成され、
前記外部蓋の下側内周面から、前記内部蓋に係止する離脱防止突起が突出することを特徴とする小児用の安全蓋。
【請求項２】
前記外部蓋の上端には、弾性部材が形成され、
該弾性部材は、前記内部蓋の上面に支持され、前記外部蓋が内部蓋より上側方向に移動した状態を維持することを特徴とする請求項１に記載の小児用の安全蓋。
【請求項３】
前記弾性部材は、薄膜状に構成して、所定の弾性力で湾曲することを特徴とする請求項２に記載の小児用の安全蓋。
【請求項４】
前記回転力伝達部は、
円周方向に等間隔に配置されるとともに、所定の長さで前記内部蓋の下側外周面から突出する第１係止突起と、
円周方向に等間隔に配置されるとともに、所定の長さで前記外部蓋の内周面から突出し、前記外部蓋を下側方向に押圧すると、前記第１係止突起の間に挿入されることで前記第１係止突起に係止する第２係止突起と、
で構成されることを特徴とする請求項１に記載の小児用の安全蓋。
【請求項５】
前記第１係止突起の上端に、所定の傾斜角度で構成された傾斜面が形成されることを特徴とする請求項４に記載の小児用の安全蓋。
【請求項６】
前記第２係止突起は、前記第１係止突起の傾斜面と対向する面に前記第１係止突起の傾斜面と同一角度で形成された傾斜面を有することを特徴とする請求項５に記載の小児用の安全蓋。
【請求項７】
前記シール部材除去ユニットは、
上下方向に移動可能なように前記内部蓋の内部に配置される押圧板と、
前記押圧板の下面縁部に円周方向に形成され、前記押圧板の押圧に伴ってシール部材を刺通し、前記内部蓋の回転に伴ってシール部材を切断する少なくとも一つのカッターと、  前記押圧板の下面より下側方向に突出し、前記カッターで切断されたシール部材を前記内部蓋の内部に保持する係止部と、
前記押圧板の外周面と前記内部蓋の内周面との間に形成され、前記押圧板が上下方向に移動可能なように弾性変形する連結部と、
で構成されることを特徴とする請求項１に記載の小児用の安全蓋。
【請求項８】
前記押圧板は、円板状で、その直径は前記内部蓋の内径よりも小さく構成され、前記内部蓋の上面よりも低く配置されることを特徴とする請求項７に記載の小児用の安全蓋。
【請求項９】
前記カッターは、
前記押圧板の下面縁部に等間隔に配置して形成される複数の支持部と、
該支持部の下端に鋭利な形状で形成され、押圧板の押圧に伴って前記シール部材を刺通する第１カット部と、
前記支持部の少なくとも一方の側面に形成され、前記内部蓋の回転に伴ってシール部材を円形に切断する第２カット部と、
で構成されることを特徴とする請求項７に記載の小児用の安全蓋。
【請求項１０】
前記係止部は、
前記押圧板の下面から垂直方向に延在し、端部にシール部材を刺通するパンチ部が形成される支持ロッドと、
該支持ロッドの外周面から垂直方向に所定の長さを延在し、前記シール部材の刺通時に上側方向に湾曲して前記支持ロッドであけた孔を通過するとともに、前記シール部材の内側に位置すると原形状態の形状に広がって、前記シール部材の内側面に係止する係止突起と、
で構成されることを特徴とする請求項７に記載の小児用の安全蓋。
【請求項１１】
前記連結部は、薄膜のドーム状に構成され、前記押圧板の外周面と前記内部蓋の内周面との間に形成され、所定の力を上回る力を加えて前記押圧板を押圧すると弾性変形することを特徴とする請求項７に記載の小児用の安全蓋。
【請求項１２】
容器の容器口部に取り付けられる内部蓋と、
該内部蓋が一緒に回転しないようにした状態で前記内部蓋の外周面に配置される外部蓋と、
前記外部蓋の上端に形成され、前記内部蓋の上面に支持されて前記外部蓋が内部蓋より上側方向に移動した状態を維持する弾性力を付与する弾性部材と、
前記内部蓋の下側外周面と前記外部蓋の内周面との間に配置され、所定の力を上回る力を加えて前記外部蓋を下側方向に移動させた時のみ前記外部蓋の回転力を前記内部蓋に伝達する回転力伝達部と、
で構成され、
前記外部蓋は、上下方向に移動可能な状態で前記内部蓋が挿入され、その上端と下端が開放することを特徴とする小児用の安全蓋。
【請求項１３】
前記内部蓋は、上端と下端が開口し、
前記内部蓋の下側内周面には、前記容器口部の外周面に形成された雄ネジ部に螺合する雌ネジ部が形成され、
前記内部蓋の下側外周面より、前記外部蓋から離脱することを防止する離脱防止突起が突出することを特徴とする請求項１２に記載の小児用の安全蓋。
【請求項１４】
前記外部蓋の外周面には、使用者が把持して回すのが容易になる複数の凹凸部が形成され、
前記外部蓋の下側内周面から、前記内部蓋に係止する離脱防止突起が突出することを特徴とする請求項１２に記載の小児用の安全蓋。
【請求項１５】
前記弾性部材は、薄膜状に構成して、所定の弾性力で湾曲することを特徴とする請求項１２に記載の小児用の安全蓋。
【請求項１６】
前記回転力伝達部は、
円周方向に等間隔に配置されるとともに、所定の長さで前記内部蓋の下側外周面から突出する第１係止突起と、
円周方向に等間隔に配置されるとともに、所定の長さで前記外部蓋の内周面から突出し、前記外部蓋を下側方向に押圧すると、前記第１係止突起の間に挿入されることで前記第１係止突起に係止する第２係止突起と、
で構成されることを特徴とする請求項１２に記載の小児用の安全蓋。
【請求項１７】
容器内の充填物が外部に排出される際に通過する容器口部に取り付けられる内部蓋と、  上下方向に移動可能なように前記内部蓋の外周面に配置される外部蓋と、
前記内部蓋の外周面と前記外部蓋の内周面との間に形成され、前記外部蓋の回転力を前記内部蓋に伝達するスプライン部と、
前記外部蓋と前記容器口部との間に形成され、前記内部蓋が容器口部に取り付けられると、前記外部蓋に嵌合する嵌合ユニットと、
で構成されることを特徴とする小児用の安全蓋。
【請求項１８】
前記外部蓋は、上端と下端が開口した円筒状構成であり、
前記外部蓋の上端と下端には、前記内部蓋の離脱を防止するストッパーが形成されることを特徴とする請求項１７に記載の小児用の安全蓋。
【請求項１９】
前記スプライン部は、
前記内部蓋の外周面の円周方向に等間隔に配置して形成される第１係止突起と、
前記外部蓋の内周面の円周方向に等間隔に配置して形成され、前記第１係止突起に噛合する第２係止突起と、
で構成されることを特徴とする請求項１７に記載の小児用の安全蓋。
【請求項２０】
前記嵌合ユニットは、
前記容器口部の下側外周面に形成されるフランジ部と、
該フランジ部の端部の円周方向に等間隔に配置して形成される第１嵌合突起と、
前記外部蓋の下側内周面の円周方向に等間隔に配置して形成され、前記第１嵌合突起の間に挿入されて嵌合する第２嵌合突起と、
で構成されることを特徴とする請求項１７に記載の小児用の安全蓋。
【請求項２１】
前記第１嵌合突起の一方の側面には、所定角度に傾斜した傾斜面が形成され、
前記第１嵌合突起の傾斜面と対向する前記第２嵌合突起の対向面に、前記第１嵌合突起の傾斜面と同一の角度で傾斜した傾斜面が形成されることを特徴とする請求項２０に記載の小児用の安全蓋。
【請求項２２】
前記内部蓋の内部に形成され、前記内部蓋が容器口部から離脱すると、前記容器口部を封入するシール部材を除去し、除去されたシール部材を内部蓋の内部に保持するシール部材除去ユニットをさらに備えることを特徴とする請求項１７に記載の小児用の安全蓋。
【請求項２３】
前記シール部材除去ユニットは、
上下方向に移動可能なように前記内部蓋の内部に配置される押圧板と、
前記押圧板の下面縁部に円周方向に形成され、前記押圧板の押圧に伴ってシール部材を刺通し、前記内部蓋の回転に伴ってシール部材を切断する少なくとも一つのカッターと、  前記押圧板の下面より下側方向に突出し、前記カッターで切断されたシール部材を前記内部蓋の内部に保持する係止部と、
前記押圧板の外周面と前記内部蓋の内周面との間に形成され、前記押圧板が上下方向に移動可能なように弾性変形する連結部と、
で構成されることを特徴とする請求項２２に記載の小児用の安全蓋。
【請求項２４】
容器の容器口部に取り付けられる内部蓋と、
該内部蓋が一緒に回転しないようにした状態で前記内部蓋の外周面に配置される外部蓋と、
前記内部蓋の下側外周面と前記外部蓋の内周面との間に配置され、所定の力を上回る力を加えて前記外部蓋を下側方向に移動させた時のみ前記外部蓋の回転力を前記内部蓋に伝達する回転力伝達部と、
前記内部蓋に形成され、前記内部蓋を容器口部から離脱すると、前記容器口部を封入するシール部材を除去し、除去されたシール部材を内部蓋の内部に保持するシール部材除去ユニットと、
前記外部蓋の上面に移動可能に取り付けられ、前記内部蓋に取り付けられた前記シール部材除去ユニットを保護する保護板と、
で構成され、
前記内部蓋は、上端と下端が開口し、
前記内部蓋の下側内周面には、前記容器口部の外周面に形成された雄ネジ部に螺合する雌ネジ部が形成され、
前記内部蓋の下側外周面より、前記外部蓋から離脱することを防止する離脱防止突起が突出し、
前記外部蓋は、上下方向に移動可能な状態で前記内部蓋が挿入され、その上端と下端が開放することを特徴とする小児用の安全蓋。
【請求項２５】
前記外部蓋の外周面には、使用者が把持して回すのが容易になる複数の凹凸部が形成され、
前記外部蓋の下側内周面から、前記内部蓋に係止する離脱防止突起が突出することを特徴とする請求項２４に記載の小児用の安全蓋。
【請求項２６】
前記外部蓋の上端には、弾性部材が形成され、
該弾性部材は、前記内部蓋の上面に支持され、前記外部蓋が内部蓋より上側方向に移動した状態を維持することを特徴とする請求項２５に記載の小児用の安全蓋。
【請求項２７】
前記弾性部材は、薄膜状に構成して、所定の弾性力で湾曲することを特徴とする請求項２６に記載の小児用の安全蓋。
【請求項２８】
前記回転力伝達部は、
円周方向に等間隔に配置されるとともに、所定の長さで前記内部蓋の下側外周面から突出する第１係止突起と、
円周方向に等間隔に配置されるとともに、所定の長さで前記外部蓋の内周面から突出し、前記外部蓋を下側方向に押圧すると、前記第１係止突起の間に挿入されることで前記第１係止突起に係止する第２係止突起と、
で構成されることを特徴とする請求項２４に記載の小児用の安全蓋。
【請求項２９】
前記保護板は、前記外部蓋の上側内周面に所定の間隔をあけて配置されるとともに、円板状に構成され、
前記保護板の外周面と前記外部蓋の上側内周面との間には、複数の連結リブが形成され、
該連結リブは、前記保護板の下側方向への移動に伴って切断されるまで、前記外部蓋に対する前記保護板の連結状態を維持することを特徴とする請求項２４に記載の小児用の安全蓋。
【請求項３０】
前記保護板の外周面と前記外部蓋の上側内周面との間に、ガイドリブが形成され、
該ガイドリブは、前記保護板が前記外部蓋に連結された状態で下側方向に移動するように前記保護板を案内することを特徴とする請求項２４に記載の小児用の安全蓋。
【請求項３１】
前記ガイドリブは、Ｓ字状に構成され、その一端が前記外部蓋の内周面に連結されるとともに、その他端が前記保護板の外周面に連結され、前記保護板の下側方向への移動に伴って伸張することを特徴とする請求項３０に記載の小児用の安全蓋。
【請求項３２】
Ｓ字状の前記ガイドリブの湾曲部に、厚みを薄く構成した連結帯部が形成され、
該連結帯部は、前記ガイドリブのＳ字形状を維持するとともに、前記保護板の下側方向
への移動に伴って切断されることを特徴とする請求項３１に記載の小児用の安全蓋。
【請求項３３】
前記シール部材除去ユニットは、
上下方向に移動可能なように前記内部蓋の内部に配置される押圧板と、
前記押圧板の下面縁部に円周方向に形成され、前記押圧板の押圧に伴ってシール部材を刺通し、前記内部蓋の回転に伴ってシール部材を切断する少なくとも一つのカッターと、  前記押圧板の下面より下側方向に突出し、前記カッターで切断されたシール部材を前記内部蓋の内部に保持する係止部と、
前記押圧板の外周面と前記内部蓋の内周面との間に形成され、前記押圧板が上下方向に移動可能なように弾性変形する連結部と、
で構成されることを特徴とする請求項２４に記載の小児用の安全蓋。
【請求項３４】
容器内の充填物が外部に排出される際に通過する容器口部に取り付けられる内部蓋と、  上下方向に移動可能なように前記内部蓋の外周面に配置される外部蓋と、
前記内部蓋の外周面と前記外部蓋の内周面との間に形成され、前記外部蓋の回転力を前記内部蓋に伝達するスプライン部と、
前記外部蓋と前記容器口部との間に形成され、前記内部蓋が容器口部に取り付けられると、前記外部蓋に嵌合する嵌合ユニットと、
前記内部蓋に形成され、前記内部蓋を容器口部から離脱すると、前記容器口部を封入するシール部材を除去し、除去されたシール部材を内部蓋の内部に保持するシール部材除去ユニットと、
前記外部蓋の上面に移動可能に取り付けられ、前記内部蓋に取り付けられた前記シール部材除去ユニットを保護する保護板と、
で構成され、
前記外部蓋は、上下方向に移動可能な状態で前記内部蓋が挿入され、その上端と下端が開放することを特徴とする小児用の安全蓋。
【請求項３５】
前記外部蓋の上端と下端には、前記内部蓋の離脱を防止するストッパーが形成されることを特徴とする請求項３４に記載の小児用の安全蓋。
【請求項３６】
前記保護板は、前記外部蓋の上側内周面に所定の間隔をあけて配置されるとともに、円板状に構成され、
前記保護板の外周面と前記外部蓋の上側内周面との間には、複数の連結リブが形成され、
該連結リブは、前記保護板の下側方向への移動に伴って切断されるまで、前記外部蓋に対する前記保護板の連結状態を維持することを特徴とする請求項３４に記載の小児用の安全蓋。
【請求項３７】
前記保護板の外周面と前記外部蓋の上側内周面との間に、ガイドリブが形成され、
該ガイドリブは、前記保護板が前記外部蓋に連結された状態で下側方向に移動するように前記保護板を案内することを特徴とする請求項３６に記載の小児用の安全蓋。
【請求項３８】
前記ガイドリブは、Ｓ字状に構成され、その一端が前記外部蓋の内周面に連結されるとともに、その他端が前記保護板の外周面に連結され、前記保護板の下側方向への移動に伴って伸張することを特徴とする請求項３７に記載の小児用の安全蓋。
【請求項３９】
Ｓ字状の前記ガイドリブの湾曲部に、厚みを薄く構成した連結帯部が形成され、
該連結帯部は、前記ガイドリブのＳ字形状を維持するとともに、前記保護板の下側方向への移動に伴って切断されることを特徴とする請求項３８に記載の小児用の安全蓋。
【請求項４０】
前記スプライン部は、
前記内部蓋の外周面の円周方向に等間隔に配置して形成される第１係止突起と、
前記外部蓋の内周面の円周方向に等間隔に配置して形成され、前記第１係止突起に噛合する第２係止突起と、
で構成されることを特徴とする請求項３４に記載の小児用の安全蓋。
【請求項４１】
前記嵌合ユニットは、
前記容器口部の下側外周面に形成されるフランジ部と、
該フランジ部の端部の円周方向に等間隔に配置して形成される第１嵌合突起と、
前記外部蓋の下側内周面の円周方向に等間隔に配置して形成され、前記第１嵌合突起の間に挿入されて嵌合する第２嵌合突起と、
で構成されることを特徴とする請求項３４に記載の小児用の安全蓋。
【請求項４２】
容器の容器口部に取り付けられる内部蓋と、
該内部蓋が一緒に回転しないようにした状態で前記内部蓋の外周面に配置される外部蓋と、
前記内部蓋と前記外部蓋との間に形成され、所定の力を上回る力を加えて前記外部蓋を下側方向に移動させた時のみ前記外部蓋の回転力を前記内部蓋に伝達する回転力伝達部と、
上下方向に移動可能なように前記外部蓋の上端内周面に配置される押圧板と、該押圧板の下面縁部に円周方向に形成され、前記押圧板の押圧に伴ってシール部材を刺通し、前記内部蓋の回転に伴ってシール部材を切断する複数のカッターと、前記押圧板の下面より下側方向に突出し、前記カッターで切断されたシール部材を前記内部蓋の内部に保持する係止部と、前記押圧板の外周面と前記外部蓋の内周面との間を連結し、前記外部蓋の内周面に対する前記押圧板の連結状態を維持し、前記押圧板の押圧に伴って切断されることで押圧板の連結状態を解除するロッキングリブと、からなるシール部材除去ユニットと、
で構成され、
前記外部蓋は、上下方向に移動可能な状態で前記内部蓋が挿入され、その上端と下端が開放することを特徴とする小児用の安全蓋。
【請求項４３】
前記ロッキングリブは、薄膜状に構成され、前記押圧板の外周面と外部蓋の内周面との間を連結し、所定の力を上回る力を加えて前記押圧板を押圧すると切断され、前記外部蓋に対する前記押圧板の連結状態を解除することを特徴とする請求項４２に記載の小児用の安全蓋。
【請求項４４】
前記押圧板の外周面と前記外部蓋の内周面との間に形成され、前記押圧板が下側方向に移動すると、前記押圧板が前記外部蓋に連結された状態で下側方向に移動するように前記押圧板を案内するガイドリブをさらに備えることを特徴とする請求項４２に記載の小児用の安全蓋。
【請求項４５】
前記ガイドリブは、Ｓ字状に構成され、その一端が前記外部蓋の内周面に連結されるとともに、その他端が前記押圧板の外周面に連結され、前記押圧板の下側方向への移動に伴って伸張することを特徴とする請求項４４に記載の小児用の安全蓋。
【請求項４６】
前記ガイドリブは、前記押圧板の外周面に形成された挿入溝と前記外部蓋の内周面に形成された挿入溝にそれぞれ挿入された状態で配置されることを特徴とする請求項４５に記載の小児用の安全蓋。
【請求項４７】
前記各挿入溝と前記ガイドリブの湾曲部との間に、薄板状の連結帯部が形成され、
該連結帯部は、前記押圧板の下側方向への移動に伴って切断されることを特徴とする請求項４６に記載の小児用の安全蓋。
【請求項４８】
前記押圧板と前記外部蓋との間に形成され、前記押圧板の上下方向への移動を案内するとともに、前記外部蓋の回転力を前記押圧板に伝達する昇降支持部をさらに備えることを特徴とする請求項４２に記載の小児用の安全蓋。
【請求項４９】
前記昇降支持部は、
前記外部蓋の下面縁部に下側方向へ垂直方向に形成される少なくとも一つのガイド溝部と、
前記押圧板の外周面に形成され、前記ガイド溝部に挿入されることで前記ガイド溝部に沿って上下方向に移動する少なくとも一つのガイド突起と、
で構成されることを特徴とする請求項４８に記載の小児用の安全蓋。
【請求項５０】
容器口部に取り付けられる内部蓋に形成され、前記内部蓋が容器口部から離脱すると、前記容器口部を封入するシール部材を除去し、除去されたシール部材を内部蓋の内部に保持するシール部材除去ユニットと、
前記内部蓋の外周面に配置された外部蓋の上面に移動可能に取り付けられる保護板と、  前記保護板の外周面と外部蓋の内周面との間に形成され、前記保護板の上下方向への移動を案内し、弾性変形して前記保護板を移動した位置にとどめる連結部と、
で構成され、
前記外部蓋は、上下方向に移動可能な状態で前記内部蓋が挿入され、その上端と下端が開放することを特徴とする小児用の安全蓋。
【請求項５１】
前記シール部材除去ユニットは、
上下方向に移動可能なように前記外部蓋の上端内周面に配置される押圧板と、
該押圧板の下面縁部に円周方向に形成され、前記押圧板の押圧に伴ってシール部材を刺通し、前記内部蓋の回転に伴ってシール部材を切断する複数のカッターと、
前記押圧板の下面より下側方向に突出し、前記カッターで切断されたシール部材を前記内部蓋の内部に保持する係止部と、
前記押圧板の外周面と前記外部蓋の内周面との間を連結し、前記外部蓋の内周面に対する前記押圧板の連結状態を維持し、前記押圧板の押圧に伴って切断されることで押圧板の連結状態を解除するロッキングリブと、
で構成されることを特徴とする請求項５０に記載の小児用の安全蓋。
【請求項５２】
前記連結部は、薄膜のドーム状に構成され、前記保護板の外周面と前記内部蓋の内周面との間に形成され、所定の力を上回る力を加えて前記押圧板を押圧すると弾性変形して前記保護板の下側方向への移動を案内することを特徴とする請求項５１に記載の小児用の安全蓋。
【請求項５３】
容器の容器口部に取り付けられる内部蓋と、
該内部蓋が一緒に回転しないようにした状態で前記内部蓋の外周面に配置される外部蓋と、
前記内部蓋と外部蓋との間に形成され、前記外部蓋の回転力を前記内部蓋に伝達する回転力伝達部と、
前記内部蓋に形成され、前記容器口部を封入するシール部材の一部を除去して、容器内の充填物が少しずつ通過する孔を前記シール部材に形成するシール部材除去ユニットと、で構成され、
前記外部蓋は、上下方向に移動可能な状態で前記内部蓋が挿入され、その上端と下端が開放することを特徴とする小児用の安全蓋。
【請求項５４】
前記シール部材除去ユニットは、
上下方向に移動可能なように前記内部蓋の内部に配置される押圧板と、
前記押圧板の下面縁部に円周方向に形成され、前記押圧板の押圧に伴ってシール部材を刺通し、前記内部蓋の回転に伴ってシール部材の一部を切断することで前記内部蓋の内部に前記シール部材を保持するとともに、前記シール部材に孔を形成する少なくとも一つのカッターと、
前記押圧板の外周面と前記内部蓋の内周面との間に形成され、前記押圧板が上下方向に移動可能なように弾性変形する連結部と、
で構成されることを特徴とする請求項５３に記載の小児用の安全蓋。
【請求項５５】
前記押圧板は、円板状で、その直径は前記内部蓋の内径よりも小さく構成され、前記内部蓋の上面よりも低く配置されることを特徴とする請求項５４に記載の小児用の安全蓋。
【請求項５６】
前記カッターは、
前記押圧板の下面の所定の位置の円周方向に等間隔に配置して形成される複数の支持部と、
該支持部の下端に形成され、押圧板の押圧に伴って前記シール部材を刺通する第１カット部と、
前記支持部の少なくとも一方の側面に形成され、前記内部蓋の回転に伴ってシール部材
を円形に切断する第２カット部と、
前記支持部の内側面に形成され、前記第２カット部で切断されたシール部材の縁部を保持する保持部と、
で構成されることを特徴とする請求項５４に記載の小児用の安全蓋。
【請求項５７】
前記押圧板の下面には、前記カッターで切断されたシール部材を保持する係止部が形成されることを特徴とする請求項５４に記載の小児用の安全蓋。
【請求項５８】
前記係止部は、
前記押圧板の下面から垂直方向に延在し、端部にシール部材を刺通するパンチ部が形成される支持ロッドと、
該支持ロッドの外周面から所定の長さを垂直方向に延在し、前記シール部材の内側面に係止する係止突起と、
で構成されることを特徴とする請求項５７に記載の小児用の安全蓋。
【請求項５９】
前記連結部は、薄膜のドーム状に構成され、前記押圧板の外周面と前記内部蓋の内周面との間に形成され、所定の力を上回る力を加えて前記押圧板を押圧すると弾性変形することを特徴とする請求項５４に記載の小児用の安全蓋。
【請求項６０】
容器口部に取り付けられる内部蓋と、
該内部蓋が一緒に回転しないようにした状態で前記内部蓋の外周面に配置される外部蓋と、
前記内部蓋と該外部蓋との間に形成され、前記外部蓋を所定の力を上回る力を加えて下側方向に移動させる時のみ、前記外部蓋の回転力を前記内部蓋に伝達する回転力伝達部と、
前記内部蓋に形成され、容器内の充填物を外部に排出する孔を前記容器口部を封入するシール部材に形成するシール部材パンチングユニットと、
で構成され、
前記外部蓋は、上下方向に移動可能な状態で前記内部蓋が挿入され、その上端と下端が開放することを特徴とする小児用の安全蓋。
【請求項６１】
前記シール部材パンチングユニットは、
上下方向に移動可能なように前記内部蓋の内部に配置され、使用者が押圧すると下側方向に移動する押圧板と、
該押圧板の下面に形成され、前記押圧板の押圧に伴ってシール部材に孔を形成するパンチと、
前記押圧板の外周面と前記内部蓋の内周面との間を連結し、前記押圧板の上下方向への移動を案内するとともに、弾性変形して前記押圧板を移動した位置にとどめる連結部と、で構成されることを特徴とする請求項６０に記載の小児用の安全蓋。
【請求項６２】
前記押圧板は、円板状で、その直径は前記内部蓋の内径よりも小さく構成され構成されることを特徴とする請求項６１に記載の小児用の安全蓋。
【請求項６３】
前記パンチは、
前記押圧板の下面から垂直方向に延在する支持ロッドと、
前記支持ロッドの端部に形成され、前記シール部材の中央を刺通して円形の孔を形成する円錐状の刺通部と、
で構成されることを特徴とする請求項６１に記載の小児用の安全蓋。
【請求項６４】
前記パンチは、
前記押圧板の下面から垂直方向に延在し、前記シール部材に十字状の孔を形成するように、その断面が十字状に構成されるロッド部と、
該ロッド部の端部に鋭利な形状で形成され、前記シール部材を刺通する刺通部と、
で構成されることを特徴とする請求項６１に記載の小児用の安全蓋。
【請求項６５】
前記パンチは、前記押圧板の下面に形成された複数のピンからなり、複数の微細孔をシール部材に形成することを特徴とする請求項６１に記載の小児用の安全蓋。
【請求項６６】
前記連結部は、薄膜のドーム状に構成され、前記押圧板の外周面と前記内部蓋の内周面との間に形成され、所定の力を上回る力を加えて前記押圧板を押圧すると弾性変形することを特徴とする請求項６１に記載の小児用の安全蓋。
【請求項６７】
前記外部蓋の上面に前記内部蓋に形成されたシール部材除去ユニットを保護する保護板が形成されることを特徴とする請求項６１に記載の小児用の安全蓋。
【請求項６８】
前記保護板は、前記外部蓋の上側内周面に所定の間隔をあけて形成され、
前記保護板の外周面と前記外部蓋の上側内周面との間に、複数の連結リブが形成され、
該連結リブは、前記保護板の下側方向への移動に伴って切断されるまで、前記外部蓋に対する前記保護板の連結状態を維持することを特徴とする請求項６７に記載の小児用の安全蓋。
【発明の詳細な説明】
【技術分野】
【０００１】
本発明は、容器内の充填物から子供を保護するように構成される小児用の安全蓋に関するものであり、より詳しくは、蓋を開けると容器の容器口部を封入するシール部材が切断されて蓋と一緒に容器から分離するように構成して使用時の利便性を向上させ、かつ、子供を一層確実に保護することができる小児用の安全蓋に関するものである。
【背景技術】
【０００２】
近年になって、猛毒性薬物の保存容器、洗剤等の保存容器、一般家庭医薬品の保存容器等には、子供が蓋を容易に開けることができないように小児用の安全蓋を装着することが義務付けられている。
【０００３】
図１は、従来技術に係る小児用の安全蓋を示した断面図である。従来技術に係る小児用の安全蓋は、内部蓋１５４と、外部蓋１５６と、回転力伝達部１６０と、で構成される。内部蓋１５４は、容器口部１５２に取り付けられる。容器口部１５２は、容器１５０内の充填物が通過するように前記容器１５０に形成される。外部蓋１５６は、前記内部蓋１５４の外側に位置し、前記内部蓋１５４を所定の範囲内において上下方向に移動させる。回転力伝達部１６０は、前記内部蓋１５４と前記外部蓋１５６との間に形成され、前記外部蓋１５６を下側方向に押圧する時のみ、前記外部蓋１５６の回転力を内部蓋１５４に伝達して内部蓋１５４を回転させる。
【０００４】
前記容器１５０の容器口部１５２の上面には、シール部材１７０が接着され、前記容器１５０内の充填物を保護する。雌ネジ部１７４は、雄ネジ部１７２に螺合する。雄ネジ部１７２は、容器口部１５２の外周面に形成されるのに対し、雌ネジ部１７４は、前記内部蓋１５４の下側に形成される。また、係止突起１７８が前記外部蓋１５６の下端内周面より突出し、前記内部蓋１５４が外部蓋１５６から離脱するのを防止する。
【０００５】
前記回転力伝達部１６０は、第１係止突起１６４と、第２係止突起１６６と、で構成される。第１係止突起１６４は、前記内部蓋１５４の外側上面に放射状に所定の間隔をあけて配置されるとともに、所定の高さで上側方向に突出する。第２係止突起１６６は、前記外部蓋１５６の内側上面に放射状に所定の間隔をあけて配置されるとともに、所定の長さで下側方向に突出して、前記第１係止突起１６４に係止する。
【０００６】
このように構成される従来技術に係る小児用の安全蓋では、内部蓋１５４が容器口部１５２に取り付けられた状態で、前記外部蓋１５６のみが内部蓋１５４の外周面の周りを回転する。このため、子供が外部蓋１５６を回しても、その回転力が内部蓋１５４に伝達しないので、子供が簡単に外部蓋１５６を開けることができない。
【０００７】
一方、蓋を開ける場合には、外部蓋１５６を下側方向に押圧すると、外部蓋１５６の第２係止突起１６６が前記内部蓋１５４の第１係止突起１６４の間の空間に挿入され、第１係止突起１６４と第２係止突起１６６とが相互に係止した状態となる。このような状態で外部蓋１５６を回転させると、その回転力が内部蓋１５４に伝達される。これにより、外部蓋１５６と一緒に内部蓋１５４も回転し、容器口部１５２から離脱する。
【０００８】
また、前記蓋を容器口部１５２から離脱した場合、容器口部１５２を封入するシール部材１７０は、手を使って除去するか、あるいは、ナイフ等の道具を別途使用して除去することになる。その後、容器１５０内の充填物は、容器口部１５２を通って排出される。
【０００９】
しかし、上述したように、従来技術に係る小児用の安全蓋では、容器蓋を容器１５０から離脱した場合には、容器口部１５２に接着されたシール部材１７０は、手を使って除去するか、あるいは、ナイフ等の道具を別途使用して除去することになるため、使用が不便であるという問題点があった。
【００１０】
特に、手を使ってシール部材１７０を除去するとき、シール部材１７０と容器口部１５２の縁部との間の接着力が強いと、シール部材１７０を縁部から円滑に除去することができない。これにより、使用者は、もう一度手を使ってシール部材１７０を除去しなければならなかった。この時、手が容器口部１５２にもう一度接触するので、衛生的な面において問題が発生する危険性がある。
【００１１】
また、従来技術に係る小児用の安全蓋では、各係止突起１６４、１６６が内部蓋１５４の上部と外部蓋１５６の上部にそれぞれ形成され、外部蓋１５６を上側方向へ押し上げる構造を具備していない。これにより、外部蓋１５６が自重で下側方向に移動し、外部蓋１５６の第２係止突起１６６が内部蓋１５４の第１係止突起１６４と相互に係止する状態となる。これにより、状況によっては、子供が蓋を開けてしまうような事態を引き起こすという危険性がある。
【発明の概要】
【発明が解決しようとする課題】
【００１２】
そこで、本発明は、蓋とシール部材除去ユニットを一体形成し、蓋の離脱と連動したシール部材の自動除去を可能にすることで、円滑に利用できる小児用の安全蓋を提供することを課題とする。
【００１３】
本発明は、シール部材除去ユニットでシール部材を自動除去できるため、上記課題とは別に、シール部材の除去の際に容器口部に手が接触することで生じる衛生上の問題点を解決できる小児用の安全蓋を提供することも課題とする。
【００１４】
上記課題の他、本発明は、弾性力を利用して外部蓋を内部蓋から上側方向に相対的に移動した位置にとどめることができるので、所定の力を上回る力を加えて外部蓋を下側方向に移動させなければ蓋を開けることができないように構成し、子供に対する安全性を効果的に確保することができる小児用の安全蓋を提供することも課題とする。
【００１５】
さらに、上記課題の他、本発明は、外部蓋の上面に保護板を設けて内部蓋に取り付けられたシール部材除去ユニットを保護することによって、外部からの圧力がシール部材除去ユニットに加わることのない小児用の安全蓋を提供することも課題とする。
【００１６】
さらに、上記課題の他、本発明は、容器口部の開口を小さくするために、シール部材の一部を除去して孔をシール部材に形成することで、容器内の充填物が少しずつ排出されるようにし、誤って容器蓋を開けてしまった子供が容器内の充填物を摂取した場合でも、その量を抑制して安全性の向上を図る小児用の安全蓋を提供することも課題とする。
【課題を解決するための手段】
【００１７】
前記課題を解決するため、本発明に係る小児用の安全蓋においては、容器口部に取り付けられる内部蓋と、前記内部蓋と一緒に回転しない状態で前記内部蓋の外周面に配置される外部蓋と、前記内部蓋と前記外部蓋との間に形成され、所定の力を上回る力を加えて前記外部蓋を下側方向に移動させると、前記外部蓋の回転力が前記内部蓋に伝達する回転力伝達部と、前記内部蓋に形成され、前記容器口部から前記内部蓋を離脱すると、前記容器口部を封入するシール部材を除去し、除去した前記シール部材を前記内部蓋の内部に収納するシール部材除去ユニットと、で構成されることを特徴とする。
【００１８】
前記外部蓋の上端には、弾性部材が形成され、該弾性部材は、弾性力で前記内部蓋の上面に支持され、前記外部蓋が前記内部蓋より上側方向に移動した位置にとどめることを特徴とする。
【００１９】
前記回転力伝達部は、前記内部蓋の下側外周面より突出するとともに、円周方向に等間隔に配置される第１係止突起と、前記外部蓋の内周面より突出するとともに、円周方向に等間隔に配置され、外部蓋を下側方向に押圧すると、前記第１係止突起の間に挿入されて前記第１係止突起に係止する第２係止突起と、で構成されることを特徴とする。
【００２０】
前記シール部材除去ユニットは、上下方向に移動可能なように前記内部蓋の内部に配置される押圧板と、前記押圧板の下面縁部に円周方向に形成され、前記押圧板を押圧するとシール部材を刺通し、前記内部蓋の回転に伴ってシール部材を切断する少なくとも一つのカッターと、前記押圧板の下面に下側方向に突出し、前記カッターで切断されたシール部材を保持する係止部と、前記押圧板の外周面と前記内部蓋の内周面との間に形成され、前記押圧板が上下方向に移動可能なように弾性変形する連結部と、で構成されることを特徴とする。
【００２１】
本発明に係る小児用の安全蓋においては、容器の充填物を外部に排出する際に通過する容器口部に取り付けられる内部蓋と、上下方向に移動可能なように前記内部蓋の外周面に配置される外部蓋と、前記内部蓋の外周面と前記外部蓋の内周面との間に形成され、前記外部蓋の回転力を前記内部蓋に伝達するスプライン部と、前記外部蓋と前記容器口部との間に形成され、前記内部蓋が前記容器口部に取り付けられると、前記外部蓋の回転を制限する嵌合ユニットと、で構成されることを特徴とする。
【発明の効果】
【００２２】
上述のように構成された本発明に係る小児用の安全蓋によれば、内部蓋の内部にシール部材除去ユニットを設けているので、シール部材除去ユニットの押圧板を押しながら蓋を開ければ、シール部材が容器口部から自動的に除去される。これにより、使用時の利便性が向上する。
【００２３】
さらに、本発明に係る小児用の安全蓋によれば、シール部材除去ユニットがシール部材を自動的に除去するので、シール部材の除去時に使用者が容器口部に手を触れることで生じる衛生上の問題を解決することが可能であるという利点もある。
【００２４】
さらに、本発明に係る小児用の安全蓋によれば、外部蓋に形成された弾性部材によって外部蓋が内部蓋よりも上側方向に移動した位置にとどまるので、内部蓋の第１係止突起と外部蓋の第２係止突起とが相互に分離した状態を維持できる。これにより、子供が外部蓋を回したとしても内部蓋に回転力が伝達することがないので、子供に対する安全性を向上させることができる。
【００２５】
さらに、本発明に係る小児用の安全蓋によれば、第１係止突起と第２係止突起との間に傾斜面を形成するので、子供が外部蓋を回したとしても第２係止突起が前記第１係止突起の傾斜面上を摺動する。これにより、外部蓋の回転力が内部蓋に伝達されず、子供に対する安全性を効果的に向上させることができる。
【００２６】
さらに、本発明に係る小児用の安全蓋によれば、外部蓋の上面に保護板を設けて内部蓋に形成されたシール部材除去ユニットを保護するので、露出状態の場合と異なり、外力が加わることによって、シール部材除去ユニットの誤作動が引き起こされることがないという利点がある。
【００２７】
さらに、本発明に係る小児用の安全蓋によれば、前記シール部材除去ユニットがシール部材の一部だけを除去して所定サイズの孔をシール部材に形成し、外部に排出する容器内の充填物が通過する孔を小さく構成する。これにより、子供が容器内の充填物を飲んだとしても、子供が摂取する充填物の量を少量にとどめることができるので、子供にとっての充填物に対する安全性を確保することができる。
【００２８】
また、本発明に係る小児用の安全蓋によれば、内部蓋にシール部材パンチングユニットを形成して所定形状の孔をシール部材にあけるように構成し、容器内の充填物に応じて様々な形状の孔を形成するように構成することができる。これにより、子供に対する安全保護を向上させることができる
【図面の簡単な説明】
【００２９】
【図１】従来技術に係る小児用の安全蓋の断面図である。
【図２】従来技術に係る小児用の安全蓋の作動状態を示した図である。
【図３】本発明の第１実施形態に係る小児用の安全蓋の断面図である。
【図４】本発明の第１実施形態に係る小児用の安全蓋の内部蓋の斜視図である。
【図５】本発明の第１実施形態に係る小児用の安全蓋の外部蓋の断面斜視図である。
【図６】本発明の第１実施形態に係る小児用の安全蓋の回転力伝達部を示した側面図である。
【図７】本発明の第１実施形態に係るシール部材除去ユニットのカッターを示した斜視図である。
【図８】本発明の第１実施形態に係るシール部材除去ユニットの係止部の斜視図である。
【図９】本発明の第１実施形態に係る小児用の安全蓋の作動状態を示した図である。
【図１０】本発明の第１実施形態に係る小児用の安全蓋の作動状態を示した図である。
【図１１】本発明の第２実施形態に係る小児用の安全蓋の断面図である。
【図１２】図１１のＢ−Ｂ線断面図である。
【図１３】図１１のＣ−Ｃ線断面図である。
【図１４】本発明の第２実施形態に係る小児用の安全蓋の作動状態を示した図である。
【図１５】本発明の第３実施形態に係る小児用の安全蓋の斜視図である。
【図１６】本発明の第３実施形態に係る小児用の安全蓋の断面図である。
【図１７】本発明の第３実施形態に係る小児用の安全蓋の内部蓋の断面斜視図である。
【図１８】本発明の第３実施形態に係る小児用の安全蓋の作動状態を示した図である。
【図１９】本発明の第３実施形態に係る小児用の安全蓋の作動状態を示した図である。
【図２０】本発明の第４実施形態に係る小児用の安全蓋の断面図である。
【図２１】本発明の第４実施形態に係る小児用の安全蓋の作動状態を示した図である。
【図２２】本発明の第４実施形態に係る小児用の安全蓋の作動状態を示した図である。
【図２３】本発明の第５実施形態に係る小児用の安全蓋の斜視図である。
【図２４】本発明の第５実施形態に係る小児用の安全蓋の断面図である。
【図２５】本発明の第５実施形態に係る小児用の安全蓋の作動状態を示した図である。
【図２６】本発明の第５実施形態に係る小児用の安全蓋の作動状態を示した図である。
【図２７】本発明の第６実施形態に係る小児用の安全蓋の断面図である。
【図２８】本発明の第７実施形態に係る小児用の安全蓋の断面図である。
【図２９】本発明の第７実施形態に係る小児用の安全蓋の作動状態を示した図である。
【図３０】本発明の第８実施形態に係る小児用の安全蓋の斜視図である。
【図３１】本発明の第８実施形態に係る小児用の安全蓋の断面図である。
【図３２】本発明の第８実施形態に係るシール部材除去ユニットのカッターを示した斜視図である。
【図３３】本発明の第８実施形態に係るシール部材除去ユニットの係止部の斜視図である。
【図３４】本発明の第８実施形態に係る小児用の安全蓋の作動状態を示した図である。
【図３５】本発明の第８実施形態に係る小児用の安全蓋の作動状態を示した図である。
【図３６】本発明の第８実施形態に係る小児用の安全蓋の作動状態を示した図である。
【図３７】本発明の第９実施形態に係る小児用の安全蓋の断面図である。
【図３８】本発明の第９実施形態に係る小児用の安全蓋のパンチの例を示した図である。
【図３９】本発明の第９実施形態に係る小児用の安全蓋のパンチの例を示した図である。
【図４０】本発明の第９実施形態に係る小児用の安全蓋のパンチの例を示した図である。
【図４１】本発明の第９実施形態に係る小児用の安全蓋の作動状態を示した図である。
【発明を実施するための形態】
【００３０】
添付の図面を参照しながら、本発明の好ましい実施の形態を以下に説明する。
【００３１】
図３は本発明の第１実施形態に係る小児用の安全蓋の断面図、図４は本発明の第１実施形態に係る小児用の安全蓋の内部蓋の斜視図、図５は本発明の第１実施形態に係る小児用の安全蓋の外部蓋の断面斜視図である。
【００３２】
本発明の第１実施形態に係る小児用の安全蓋は、内部蓋１４と、外部蓋１６と、回転力伝達部１８と、シール部材除去ユニット２２と、で構成される。前記内部蓋１４は、容器１０内の充填物が外部へ排出される際に通過する容器口部１２に取り付けられる。前記外部蓋１６は、前記内部蓋１４が一緒に回転しないようにした状態で前記内部蓋１４の外周面に配置される。前記回転力伝達部１８は、前記内部蓋１４と外部蓋１６との間に形成され、所定の力を上回る力を加えて前記外部蓋１６を下側方向に移動させる時のみ、前記外部蓋１６の回転力を前記内部蓋１４に伝達する。前記シール部材除去ユニット２２は、前記内部蓋１４に形成され、前記内部蓋１４を容器口部１２から離脱すると、前記容器口部１２を封入するシール部材２０を除去し、除去されたシール部材２０を内部蓋１４の内部に保持する。
【００３３】
前記容器１０は、猛毒性薬物、洗剤及び一般家庭医薬品等、子供に危険を及ぼすような充填物を充填するものである。シール部材２０は、前記充填物を外部に排出する際に通過する容器口部１２に固定されることで容器口部１２を封入し、前記容器１０内の充填物を保護する。ここで、前記シール部材２０としては、紙材質またはアルミニウム箔板材質等のように、ナイフ等により除去しやすい材質で形成されることが好ましい。
【００３４】
前記内部蓋１４は、上端と下端が開口した円筒状構成であり、その内部に前記シール部材除去ユニット２２が設けられる。前記内部蓋１４の下側内周面に雌ネジ部２６が形成され、該雌ネジ部２６は、前記容器口部１２の外周面に形成された雄ネジ部２４に螺合する。前記雌ネジ部２６の上側内周面から、当接部２８が円周方向に突出する。前記当接部２８は、前記容器口部１２の上端に当接する。そして、前記内部蓋１４の下側外周面から、離脱防止突起３０が突出する。前記離脱防止突起３０は、前記内部蓋１４が前記外部蓋１６から離脱するのを防止する。
【００３５】
前記外部蓋１６は、前記内部蓋１４が挿入された状態で上下方向に移動可能である。前記外部蓋１６は、上端と下端がそれぞれ開口した円筒状構成である。前記外部蓋１６の外周面に複数の凹凸部３２が形成される。前記凹凸部３２を利用することで、使用者は、把持した前記外部蓋１６を回すのが容易となる。前記外部蓋１６の下側内周面から、離脱防止突起３４が突出する。前記離脱防止突起３４は、前記内部蓋１４の離脱防止突起３０に係止する。
【００３６】
前記外部蓋１６の上端に、離脱防止突起３６が形成される。前記離脱防止突起３６は、前記内部蓋１４が外部蓋１６の上側方向へ離脱することを防止する。前記離脱防止突起３６に弾性部材３８が形成される。弾性部材３８は、前記内部蓋１４の上面に支持され、内部蓋１４よりも上側方向に移動した位置に前記外部蓋１６をとどめる。
【００３７】
前記弾性部材３８は、所定の弾性力で湾曲する薄膜状構成である。前記弾性部材３８の端部は、前記内部蓋１４の上面に支持される。前記弾性部材３８は、前記外部蓋１６が上側方向に移動した位置にとどまるように、前記外部蓋１６に弾性力を付与する。
【００３８】
前記外部蓋１６を下側方向に押圧すると、前記弾性部材３８が弾性変形するとともに、外部蓋１６が下側方向に移動する。外部蓋１６に力が加わらなくなると、弾性部材３８の弾性力によって、前記外部蓋１６が上側方向に移動して元の位置に復帰する。
【００３９】
図４及び図５に示すように、前記回転力伝達部１８は、第１係止突起４０と、第２係止突起４２と、で構成される。前記第１係止突起４０は、円周方向に等間隔に配置されるとともに、所定の長さで前記内部蓋１４の下側外周面から突出する。前記第２係止突起４２は、円周方向に等間隔に配置されるとともに、所定の長さで前記外部蓋１６の内周面から突出する。前記外部蓋１６を下側方向に押圧すると、前記第２係止突起４２は前記第１係止突起４０の間に挿入されて、前記第１係止突起４０に係止する。
【００４０】
前記第１係止突起４０は、前記内部蓋１４の外周面に等間隔に配置して形成される。前記第１係止突起４０の上端に、所定の角度で傾斜した傾斜面４６が形成される。前記第２係止突起４２が、前記第１係止突起４０にある程度挿入されると、第２係止突起４２は前記傾斜面４６に沿って摺動する。
【００４１】
前記第２係止突起４２は、前記外部蓋１６の内周面に等間隔に配置して形成される。前記第２係止突起４２の下端に、前記第１係止突起４２と同様の傾斜面４８が形成される。傾斜面４８が前記第１係止突起４０の傾斜面４６と接触すると、前記第２係止突起４２は傾斜面４６に沿って摺動する。
【００４２】
図６に示すように、子供が外部蓋１６を押した場合、弾性部材３８の弾性力が前記外部蓋１６に作用するので、外部蓋１６が完全に押圧されない。このため、外部蓋１６の第２係止突起４２が前記内部蓋１４の第１係止突起４０に完全に挿入されないので、前記外部蓋１６を回転させたとしても、前記第２係止突起４２の傾斜面４８は、第１係止突起４０の傾斜面４６に沿って摺動することになる。これにより、外部蓋１６の回転力が内部蓋１４に伝達されることがないので、蓋を開けることができない。
【００４３】
前記シール部材除去ユニット２２は、押圧板５０と、カッター５２と、係止部５４と、連結部５６と、で構成される。前記押圧板５０は、上下方向に移動可能なように前記内部蓋１４の内部に配置され、使用者によって押圧される。前記カッター５２は、前記押圧板５０の下面縁部の円周方向に形成される。前記カッター５２は、前記押圧板５０の押圧に伴ってシール部材２０を刺通する。また、前記カッター５２は、蓋の回転に伴ってシール部材２０を切断する。前記係止部５４は、前記押圧板５０の下面より下側方向に突出する。前記係止部５４は、シール部材２０に係止して、前記カッター５２で切断されたシール部材２０を前記内部蓋１４の内部に保持する。前記連結部５６は、前記押圧板５０の外周面と前記内部蓋１４の内周面との間に形成され、前記押圧板５０の上下方向への移動を案内し、弾性変形して前記押圧板５０を所定の位置にとどめる。
【００４４】
前記押圧板５０は、円板状で、その直径は前記内部蓋１４の内径よりも小さく構成される。前記押圧板５０は、前記内部蓋１４の上面よりも低い位置に配置されることが好ましい。
【００４５】
図７に示すように、前記カッター５２は、複数の支持部６０と、第１カット部６２と、第２カット部６４と、で構成される。前記複数の支持部６０は、前記押圧板５０の下面縁部に等間隔に配置して形成される。前記第１カット部６２は、前記支持部６０の下端に鋭利な形状で形成される。前記第１カット部６２は、前記押圧板５０の押圧に伴って下側方向に移動して、前記シール部材２０を刺通する。前記第２カット部６４は、前記支持部６０の側面の少なくとも一方に形成される。前記内部蓋１４が回転すると、前記第２カット部６４は、容器口部１２の内周面と接触した状態で回転しながら、シール部材２０を円形に切断する。
【００４６】
図８に示すように、前記係止部５４は、支持ロッド６６と、少なくとも一つの係止突起６８と、で構成される。前記支持ロッド６６は、前記シール部材２０を刺通するため、所定の長さを前記押圧板５０の下面から延在する。前記係止突起６８は、前記支持ロッド６６の側面に形成される。前記係止突起６８は、前記シール部材２０に係止して、前記カッター５２で切断された前記シール部材２０を前記内部蓋１４の内部に保持する。
【００４７】
前記支持ロッド６６は、棒状に構成され、前記押圧板５０の下側方向に延在する。前記支持ロッド６６の端部には、シール部材刺通用のパンチ部７０が鋭利な形状で形成される。
【００４８】
前記係止突起６８は、弾性変形可能に形成される。前記係止突起６８は、前記シール部材２０の刺通時に上側方向へ湾曲して、前記パンチ部７０があけた孔を通過し、シール部材２０の内側に差し込まれる。前記係止突起６８は、前記シール部材２０の内側に差し込まれると原形状態の形状に戻り、前記シール部材２０の内側面に係止する。
【００４９】
少なくとも１つの係止突起６８は、所定の長さを支持ロッド６６の両側面から垂直方向に延在する。前記連結部５６は、薄膜のドーム状に構成され、前記内部蓋１４の内周面と前記押圧板５０の外周面との間に形成される。
【００５０】
所定の力を上回る力を加えて前記押圧板５０を押圧すると、前記連結部５６が弾性変形して、前記押圧板５０の下側方向への移動を案内する。
【００５１】
前記連結部５６は、弾性力で前記押圧板５０を通常位置にとどめる。即ち、押圧板５０が突出した状態にあるときは、連結部５６は凸状のドーム形態となり、前記押圧板５０を通常位置にとどめる。一方、所定の力を上回る力を加えて前記押圧板５０を押圧すると、連結部５６は、凹状形態に弾性変形し、押圧板５０の押圧状態を維持する。
【００５２】
本発明の第１実施形態に係る小児用の安全蓋の作用について、以下に説明する。
【００５３】
図９及び図１０は、本発明の第１実施形態に係る小児用の安全蓋の作動状態を示した図である。容器１０内の充填物を外部に排出するために内部蓋１４の押圧板５０を下側方向に押圧すると、前記連結部５６が弾性変形して前記押圧板５０が下側方向に移動する。次に、前記押圧板５０の下面にあるカッター５２の第１カット部６２がシール部材２０の縁部を刺通するとともに、係止部５４の支持ロッド６６がシール部材２０の中央を刺通する。
【００５４】
シール部材２０の刺通時において、前記係止部５４の係止突起６８は、上側方向へ湾曲しながら、前記支持ロッド６６のパンチ部７０があけた孔を通過する。前記係止突起６８は、いったんシール部材２０の内側に位置すると、弾性変形して原形状態の形状に戻る。
【００５５】
次に、使用者が外部蓋１６を把持して、所定の力を上回る力を加えて外部蓋１６を下側方向に移動させると、前記弾性部材３８が弾性変形する。これにより、外部蓋１６の第２係止突起４２が、前記内部蓋１４の第１係止突起４０の間に挿入され、外部蓋１６の第２係止突起４２と前記内部蓋１４の第１係止突起４０とが相互に係止する。この状態で前記外部蓋１６を回すと、前記外部蓋１６の回転力が内部蓋１４に伝達するので、前記内部蓋１４も回転して容器口部１２から離脱する。
【００５６】
この時、前記カッター５２が容器口部１２の内周面に接触した状態で回転し、支持部６０の両側面の第２カット部６４が、前記シール部材２０を円形に切断する。係止部５４の係止突起６８が、シール部材２０に係止するので、前記シール部材２０は、前記内部蓋１４の内部に保持された状態で前記容器口部１２から除去されることになる。
【００５７】
このように、シール部材２０を除去した状態の容器１０内の充填物を容器口部１２から外部に排出して、容器口部１２に蓋をし直すと、前記外部蓋１６は内部蓋１４の上面に向かって移動して、第１係止突起４０と第２係止突起４２とが相互に分離した状態となる。これにより、子供が外部蓋１６を回したとしても、外部蓋１６に加えた回転力が内部蓋１４に伝達することがない。
【００５８】
また、子供が外部蓋１６を下側方向に移動させても外部蓋１６に加わる力は弱いため、弾性部材３８の弾性力によって外部蓋１６を下側方向に完全に移動させることができない。このような状態で、外部蓋１６を回転させたとしても、第２係止突起４２の傾斜面４８が第１係止突起４０の傾斜面４６に沿って摺動するので、内部蓋１４を開けることができない。
【００５９】
図１１は、本発明の第２実施形態に係る小児用の安全蓋の断面図、図１２は、図１１のＢ−Ｂ線断面図、図１３は、図１１のＣ−Ｃ線断面図、である。
【００６０】
本発明の第２実施形態に係る小児用の安全蓋は、内部蓋８０と、外部蓋８２と、スプライン部８５と、嵌合ユニット８４と、シール部材除去ユニット２２と、で構成される。内部蓋８０は、容器１０内の充填物が外部へ排出される際に通過する容器口部１２に取り付けられる。前記外部蓋８２は、上下方向に移動可能なように前記内部蓋８０の外周面に配置される。前記スプライン部８５は、前記内部蓋８０の外周面と前記外部蓋８２の内周面との間に形成され、前記外部蓋８２の回転力を前記内部蓋８０に伝達する。前記嵌合ユニット８４は、前記外部蓋８２と容器口部１２との間に形成され、内部蓋８０が容器口部１２に取り付けられた場合に外部蓋８２の回転を制限する。前記シール部材除去ユニット２２は、前記内部蓋８０に形成され、前記内部蓋８０を容器口部１２から離脱すると、前記容器口部１２を封入するシール部材２０を除去し、除去されたシール部材２０を内部蓋８０の内部に保持する。
【００６１】
前記内部蓋８０は、上端と下端が開口した円筒状構成であり、その内部に前記シール部材除去ユニット２２が設けられる。前記内部蓋８０の下側内周面に雌ネジ部８８が形成され、該雌ネジ部８８は、前記容器口部１２の外周面に形成された雄ネジ部８６に螺合する。
【００６２】
前記外部蓋１６は、上端と下端がそれぞれ開口した円筒状構成である。前記外部蓋１６の上端と下端には、前記内部蓋８０の離脱防止用のストッパー９０，９２が形成される。前記外部蓋１６の外周面に複数の凹凸部９４が形成される。前記凹凸部９４を利用することで、使用者は、把持した前記外部蓋１６を回すのが容易となる。
【００６３】
前記スプライン部８５は、第１係止突起８１と、第２係止突起８３と、で構成される。前記第１係止突起８１は、前記内部蓋８０の外周面の円周方向に等間隔に配置して形成される。前記第２係止突起８３は、前記外部蓋８２の内周面の円周方向に等間隔に配置して形成される。前記第２係止突起８３は、第１係止突起８１と噛合する。
【００６４】
図１３に示すように、前記嵌合ユニット８４は、第１嵌合突起９８と、第２嵌合突起１００と、で構成される。前記第１嵌合突起９８は、容器口部１２の下側外周面から延在した円板状のフランジ部９６の端部の円周方向に等間隔に配置して形成される。前記第２嵌合突起１００は、前記外部蓋８２の下側内周面に等間隔に配置して形成される。前記第２嵌合突起１００は、前記第１嵌合突起９８の間に挿入されることで嵌合する。
【００６５】
前記第１嵌合突起９８は、歯車状に形成される。前記第１嵌合突起９８は、側面の一方が所定の角度に傾斜した傾斜面１０２を有する。前記第２嵌合突起１００は、前記第１嵌合突起９８の傾斜面と同様の傾斜面１０４を有する。前記傾斜面１０４は、前記第１嵌合突起９８の傾斜面１０２と対向する面に形成される。
【００６６】
前記外部蓋８２を下側方向に移動して回転させると、外部蓋８２の第２嵌合突起１００が前記容器口部１２の第１嵌合突起９８の間に挿入される。この時、内部蓋８０が容器口部１２に完全に装着されていない場合には、第２嵌合突起１００の傾斜面１０４が前記第１嵌合突起９８の傾斜面１０２に沿って摺動し、前記外部蓋８２が回転する。一方、内部蓋８０が容器口部１２に完全に装着されている場合には、第１嵌合突起９８の間に第２嵌合突起１００が挿入されて外部蓋８２が回転することを防止する。
【００６７】
前記シール部材除去ユニット２２の構成及び作用は、上述した第１実施形態と同様であるので、その詳細について説明を省略する。
【００６８】
本発明の第２実施形態に係る小児用の安全蓋の作用について、以下に説明する。
【００６９】
図１４は、本発明の第２実施形態に係る小児用の安全蓋の作動状態を示した図である。外部蓋８２を上側方向へ引っ張ると、外部蓋８２が内部蓋８０の外周面に沿って摺動しながら上側方向に移動する。この時、外部蓋８２の第２嵌合突起１００が容器口部１２の第１嵌合突起９８から離脱し、外部蓋８２の嵌合状態を解除する。
【００７０】
このような状態で前記外部蓋８２を回転させると、前記外部蓋８２にスプライン嵌合した内部蓋８０が一緒に回転して容器口部１２から離脱する。
【００７１】
この時、容器口部１２を封入するシール部材２０が、内部蓋８０の内部に保持されたまま、シール部材除去ユニット２２により除去される。
【００７２】
そして、もう一度、容器口部１２に内部蓋８０を取り付けると、外部蓋８２の内周面の第２嵌合突起１００が、容器口部１２の第１嵌合突起９８の間に挿入される。これにより、外部蓋８２が固定され、子供が外部蓋８２を開けることができない。
【００７３】
図１５は、本発明の第３実施形態に係る小児用の安全蓋の斜視図、図１６は、本発明の第３実施形態に係る小児用の安全蓋の断面図、図１７は、本発明の第３実施形態に係る小児用の安全蓋の外部蓋の断面斜視図、である。
【００７４】
本発明の第３実施形態に係る小児用の安全蓋は、内部蓋１４と、外部蓋１６と、回転力伝達部１８と、シール部材除去ユニット２２と、保護板１３と、で構成される。前記内部蓋１４は、容器１０内の充填物が外部に排出される際に通過する容器口部１２に取り付けられる。前記外部蓋１６は、前記内部蓋１４が一緒に回転しないようにした状態で前記内部蓋１４の外周面に配置される。前記回転力伝達部１８は、所定の力を上回る力を加えて前記外部蓋１６を下側方向に移動させる時のみ、前記外部蓋１６の回転力を前記内部蓋１４に伝達する。前記シール部材除去ユニット２２は、前記内部蓋１４に形成され、前記内部蓋１４を容器口部１２から離脱すると、前記容器口部１２を封入するシール部材２０を除去し、除去されたシール部材２０を内部蓋１４の内部に保持する。前記保護板１３は、前記外部蓋１６の上面に移動可能に取り付けられ、前記内部蓋１４に取り付けられたシール部材除去ユニット２２を保護する。
【００７５】
前記内部蓋１４及び外部蓋１６の構成と作用は、上述した第１実施形態と同様であるので、その詳細については説明を省略する。
【００７６】
前記保護板１３は、前記外部蓋１６の上側内周面と所定の間隔をあけて形成される。前記保護板１３は、円板状に構成される。また、前記保護板１３の外周面と前記外部蓋１６の上側内周面との間に、複数の連結リブ１７が形成される。複数の連結リブ１７は、前記保護板１３が下側方向に移動して切断されるまで、前記外部蓋１６に対する前記保護板１３の連結状態を維持する。
【００７７】
前記連結リブ１７は、所定の力を上回る力を加えると切断されるように構成される。前記連結リブ１７は、前記保護板１３が押圧された場合には切断されるとともに、前記保護板１３が下側方向に移動するように前記保護板１３を許容する。
【００７８】
そして、所定の間隔があいた前記保護板１３の外周面と前記外部蓋１６の上側内周面との間を、複数のガイドリブ１５が連結する。これにより、前記保護板１３が下側方向に移動する時、前記保護板１３が前記外部蓋１６に連結された状態で下側方向に移動するように前記保護板１３を案内する。
【００７９】
前記ガイドリブ１５は、Ｓ字状に構成される。前記ガイドリブ１５の一端は、外部蓋１６の内周面に連結され、その他端は、保護板１３の外周面に連結される。前記ガイドリブ１５は、前記保護板１３の下側方向への移動に伴って伸張し、前記保護板１３の下側方向への移動を案内するとともに、前記外部蓋１６に対する保護板１３の連結状態を維持する。また、前記ガイドリブ１５は、前記保護板１３の外周面の挿入溝２１に挿入される。
【００８０】
Ｓ字状の前記ガイドリブ１５の湾曲部に、厚みを薄く構成した連結帯部１９が形成される。前記連結帯部１９は、Ｓ字状に構成された前記ガイドリブ１５の形状を維持する。前記保護板１３が下側方向に移動すると、前記連結帯部１９は切断される。
【００８１】
このような保護板１３は、前記シール部材除去ユニット２２が外部に露出しないようにして、シール部材除去ユニット２２を外力から保護する。使用者がシール部材除去ユニット２２を利用するために前記保護板１３を下側方向に押圧すると、保護板１３と外部蓋１６との間を連結する連結リブ１７が切断され、前記保護板１３が下側方向に移動して、シール部材除去ユニット２２の押圧板５０が押圧される。この時、前記保護板１３と外部蓋１６との間を連結するＳ字状のガイドリブ１５は、伸張して前記保護板１３の下側方向への移動を案内し、外部蓋１６に対する保護板１３の連結状態を維持する。
【００８２】
前記回転力伝達部１８は、第１係止突起４０と、第２係止突起４２と、で構成される。前記第１係止突起４０は、円周方向に等間隔に配置されるとともに、所定の長さで前記内部蓋１４の下側外周面から突出する。前記第２係止突起４２は、円周方向に等間隔に配置されるとともに、所定の長さで前記外部蓋１６の内周面から突出する。前記外部蓋１６を下側方向に押圧すると、前記第２係止突起４２は前記第１係止突起４０の間に挿入されて、前記第１係止突起４０に係止する。
【００８３】
ここで、前記第１係止突起４０及び第２係止突起４２の構成は、上述した第１実施形態と同様であるので、その詳細については省略する。
【００８４】
前記シール部材除去ユニット２２は、押圧板５０と、カッター５２と、係止部５４と、連結部５６と、で構成される。前記押圧板５０は、上下方向に移動可能なように前記内部蓋１４の内部に配置される。前記カッター５２は、前記押圧板５０の下面縁部に形成される。前記カッター５２は、前記押圧板５０の押圧に伴ってシール部材２０を刺通する。また、前記カッター５２は、蓋の回転に伴ってシール部材２０を切断する。前記係止部５４は、前記押圧板５０の下面より下側方向に突出する。前記係止部５４は、シール部材２０に係止して、前記カッター５２で切断されたシール部材２０を前記内部蓋１４の内部に保持する。前記連結部５６は、前記押圧板５０の外周面と前記内部蓋１４の内周面との間に形成され、前記押圧板５０の上下方向への移動を案内し、弾性力で前記押圧板５０を移動した位置にとどめる。
【００８５】
前記シール部材除去ユニット２２の構成及び作用は、上述した第１実施形態と同様であるので、その詳細については説明を省略する。
【００８６】
本発明の第３実施形態に係る小児用の安全蓋の作用について、以下に説明する。
【００８７】
図１８及び図１９は、本発明の第３実施形態に係る小児用の安全蓋の作動状態を示した図である。
【００８８】
容器１０内の充填物を外部に排出するために、使用者が外部蓋１６に連結された保護板１３を下側方向に押圧すると、前記保護板１３と外部蓋１６との間を連結する連結リブ１７が切断され、前記保護板１３が下側方向に移動してシール部材除去ユニット２２の押圧板５０が押圧される。この時、前記保護板１３と外部蓋１６との間を連結するＳ字状のガイドリブ１５は、伸張して前記保護板１３の下側方向への移動を案内し、外部蓋１６に対する保護板１３の連結状態を維持する。
【００８９】
このように、前記保護板１３によって押圧板５０が下側方向に移動すると、前記連結部５６が弾性変形する。次に、前記押圧板５０の下面にあるカッター５２の第１カット部６２がシール部材２０の縁部を刺通するとともに、係止部５４の支持ロッド６６がシール部材２０の中央を刺通する。
【００９０】
前記シール部材２０の刺通と同時に、前記係止部５４の係止突起６８は、上側方向へ湾曲しながら前記支持ロッド６６のパンチ部７０があけた孔を通過する。前記係止突起６８は、いったんシール部材２０の内側に位置すると、原形状態の形状に弾性変形して広がる。
【００９１】
次に、所定の力を上回る力を加えて外部蓋１６を把持して下側方向に移動させると、前記弾性部材３８が弾性変形する。これにより、外部蓋１６の第２係止突起４２が、前記内部蓋１４の第１係止突起４０の間に挿入され、第１係止突起４０と第２係止突起４２とが相互に係止した状態となる。この状態で前記外部蓋１６を回すと、前記外部蓋１６の回転力が内部蓋１４に伝達するので、前記内部蓋１４も回転して容器口部１２から離脱する。
【００９２】
この時、前記カッター５２が容器口部１２の内周面に接触した状態で回転し、支持部６０の両側面の第２カット部６４が、前記シール部材２０を円形に切断する。シール部材２０は、係止部５４の係止突起６８に係止するので、前記内部蓋１４の内部に保持された状態で前記容器口部１２から除去されることになる。
【００９３】
このように、シール部材２０を除去した状態の容器１０内の充填物を容器口部１２から外部に排出して、容器口部１２に蓋をし直すと、前記外部蓋１６は、弾性部材３８の弾性力で内部蓋１４の上面に向かって移動し、第１係止突起４０と第２係止突起４２とが相互に分離した状態となる。これにより、子供が外部蓋１６を回したとしても、外部蓋１６に加えた回転力が内部蓋１４に伝達することがない。
【００９４】
また、子供が外部蓋１６を下側方向に移動させても外部蓋１６に加わる力は弱いため、弾性部材３８の弾性力によって外部蓋１６を下側方向に完全に移動させることができない。このような状態で、外部蓋１６を回転させたとしても、第２係止突起４２の傾斜面４８が第１係止突起４０の傾斜面４６に沿って摺動するので、内部蓋１４を開けることができない。
【００９５】
図２０は、本発明の第４実施形態に係る小児用の安全蓋の断面図である。
【００９６】
本発明の第４実施形態に係る小児用の安全蓋は、内部蓋８０と、外部蓋８２と、スプライン部８５と、嵌合ユニット８４と、シール部材除去ユニット２２と、保護板１３と、で構成される。前記内部蓋８０は、容器１０内の充填物が外部に排出される際に通過する容器口部１２に取り付けられる。前記外部蓋８２は、上下方向に移動可能なように前記内部蓋８０の外周面に配置される。前記スプライン部８５は、前記内部蓋８０の外周面と前記外部蓋８２の内周面との間に形成され、前記外部蓋８２の回転力を前記内部蓋８０に伝達する。前記嵌合ユニット８４は、前記外部蓋８２と容器口部１２との間に形成され、内部蓋８０が容器口部１２に取り付けられた場合に外部蓋８２の回転を制限する。前記シール部材除去ユニット２２は、前記内部蓋８０に形成され、前記内部蓋８０を容器口部１２から離脱すると、前記容器口部１２を封入するシール部材２０を除去し、除去されたシール部材２０を内部蓋８０の内部に保持する。前記保護板１３は、前記外部蓋１６の上面に移動可能に取り付けられ、前記内部蓋１４に取り付けられたシール部材除去ユニット２２を保護する。
【００９７】
前記内部蓋８０は、上端と下端が開口した円筒状構成であり、その内部に前記シール部材除去ユニット２２が設けられる。前記内部蓋１４の下側内周面に雌ネジ部８８が形成され、該雌ネジ部８８は、前記容器口部１２の外周面に形成された雄ネジ部８６に螺合する。
【００９８】
前記外部蓋８２は、上端と下端がそれぞれ開口した円筒状構成である。前記外部蓋８２の上端と下端に、前記内部蓋８０が離脱することを防止するストッパー９０，９２がそれぞれ形成される。前記外部蓋８２の外周面に、複数の凹凸部９４が形成される。前記凹凸部９４を利用することで、使用者は、把持した前記外部蓋８２を回すのが容易となる。
【００９９】
前記保護板１３は、前記外部蓋８２の上側内周面に形成される。前記保護板１３は、円板状に構成され、所定の間隔をあけて配置される。前記保護板１３の構成は、上述した第３実施形態と同様であるので、その詳細については説明を省略する。
【０１００】
前記スプライン部８５は、第１係止突起８１と、第２係止突起８３と、で構成される。前記第１係止突起８１は、前記内部蓋８０の外周面の円周方向に等間隔に配置して形成される。前記第２係止突起８３は、前記外部蓋８２の内周面の円周方向に等間隔に配置して形成される。前記第２係止突起８３は、第１係止突起８１と噛合する。
【０１０１】
前記嵌合ユニット８４は、第１嵌合突起９８と、第２嵌合突起１００と、で構成される。前記第１嵌合突起９８は、容器口部１２の下側外周面から延在した円板状のフランジ部９６の端部の円周方向に等間隔に配置して形成される。前記第２嵌合突起１００は、前記外部蓋８２の下側内周面に等間隔に配置して形成される。前記第２嵌合突起１００は、前記第１嵌合突起９８の間に挿入されることで嵌合する。
【０１０２】
前記嵌合ユニット８４の第１嵌合突起９８及び第２嵌合突起１００の構成及び作用は、上述した第２実施形態と同様であるので、その詳細については説明を省略する。
【０１０３】
前記シール部材除去ユニット２２の構成及び作用は、上述した第１実施形態と同様であるので、その詳細については説明を省略する。
【０１０４】
本発明の第４実施形態に係る小児用の安全蓋の作用について以下に説明する。
【０１０５】
図２１及び図２２は、本発明の第４実施形態に係る小児用の安全蓋の作動状態を示した図である。
【０１０６】
保護板１３を下側方向に押圧すると、シール部材除去ユニット２２が、上述した第１実施形態と同じように、容器口部１２を封入するシール部材２０を刺通する。
【０１０７】
次に、外部蓋８２を上側方向へ引っ張ると、外部蓋８２が内部蓋８０の外周面に沿って摺動しながら上側方向に移動する。この時、外部蓋８２の第２嵌合突起１００が容器口部１２の第１嵌合突起９８から離脱し、外部蓋８２の嵌合状態を解除する。
【０１０８】
このような状態で、前記外部蓋８２を回転すると、前記外部蓋８２にスプライン嵌合した内部蓋８０が一緒に回転して容器口部１２から離脱する。
【０１０９】
この時、シール部材除去ユニット２２が、上述した第１実施形態と同じように、内部蓋８０の内部に保持されたまま、シール部材除去ユニット２２により除去される。
【０１１０】
次に、もう一度、容器口部１２に内部蓋８０を取り付けると、外部蓋８２の内周面の第２嵌合突起１００が、容器口部１２の第１嵌合突起９８の間に挿入される。これにより、外部蓋８２が固定され、子供が外部蓋８２を開けることができない。
【０１１１】
図２３は、本発明の第５実施形態に係る小児用の安全蓋の斜視図、図２４は、本発明の第５実施形態に係る小児用の安全蓋の断面図、である。
【０１１２】
本発明の第５実施形態に係る小児用の安全蓋は、内部蓋１４と、外部蓋１６と、回転力伝達部１８と、シール部材除去ユニット２２と、で構成される。前記内部蓋１４は、容器１０内の充填物が外部へ排出される際に通過する容器口部１２に取り付けられる。前記外部蓋１６は、前記内部蓋１４が一緒に回転しないようにした状態で前記内部蓋１４の外周面に配置される。前記回転力伝達部１８は、前記内部蓋１４と外部蓋１６との間に形成され、所定の力を上回る力を加えて前記外部蓋１６を下側方向に移動させる時のみ、前記外部蓋１６の回転力を前記内部蓋１４に伝達する。前記シール部材除去ユニット２２は、前記外部蓋１６に形成され、前記容器口部１２を封入するシール部材２０を除去し、除去されたシール部材２０を内部蓋１４の内部に保持する。
【０１１３】
前記内部蓋１４は、上端と下端が開口した円筒状構成である。前記内部蓋１４の下側内周面に雌ネジ部２６が形成され、該雌ネジ部２６は、前記容器口部１２の外周面に形成された雄ネジ部２４に螺合する。前記雌ネジ部２６の上側内周面から、当接部２８が円周方向に突出する。前記当接部２８は、前記容器口部１２の上端に当接する。そして、前記内部蓋１４の下側外周面から、離脱防止突起３０が突出する。前記離脱防止突起３０は、前記内部蓋１４が前記外部蓋１６から離脱するのを防止する。
【０１１４】
前記外部蓋１６は、前記内部蓋１４が挿入された状態で上下方向に移動可能である。前記外部蓋１６は、上端と下端がそれぞれ開口した円筒状構成である。前記外部蓋１６の外周面に複数の凹凸部３２が形成される。前記凹凸部３２を利用することで、使用者は、把持した前記外部蓋１６を回すのが容易となる。前記外部蓋１６の下側内周面から、離脱防止突起３４が突出する。前記離脱防止突起３４は、前記内部蓋１４の離脱防止突起３０に係止する。
【０１１５】
前記外部蓋１６の上端に、環状の離脱防止突起３６が形成される。前記離脱防止突起３６は、前記内部蓋１４が外部蓋１６の上側方向へ離脱することを防止する。また、前記離脱防止突起３６の下面に、弾性部材３８が形成される。前記弾性部材３８は、前記内部蓋１４の上面に支持され、内部蓋１４よりも上側方向に移動した位置に前記外部蓋１６をとどめる。前記離脱防止突起３６の内周面に、シール部材除去ユニット２２が形成される。
【０１１６】
前記弾性部材３８は、所定の弾性力で湾曲する薄膜状構成である。前記弾性部材３８の端部は、前記内部蓋１４の上面に支持される。前記弾性部材３８は、前記外部蓋１６が上側方向に移動した位置にとどまるように、前記外部蓋１６に弾性力を付与する。
【０１１７】
前記外部蓋１６を下側方向に押圧すると、前記弾性部材３８が弾性変形するとともに、外部蓋１６が下側方向に移動する。外部蓋１６に力が加わらなくなると、弾性部材３８の弾性力によって、前記外部蓋１６が上側方向に移動して元の位置に復帰する。
【０１１８】
前記回転力伝達部１８の構成及び作用は、上述した第１実施形態と同様であるので、その詳細については説明を省略する。
【０１１９】
前記シール部材除去ユニット２２は、押圧板５０と、複数のカッター５２と、係止部５４と、ロッキングリブ２００と、で構成される。前記押圧板５０は、前記外部蓋１６の上端内周面に連結され、所定の力で下側方向に押圧すると連結状態が解除して下側方向に移動する。前記複数のカッター５２は、前記押圧板５０の下面縁部に円周方向に形成される。前記複数のカッター５２は、前記押圧板５０の押圧に伴ってシール部材２０を刺通する。また、前記カッター５２は、蓋の回転に伴ってシール部材２０を切断する。前記係止部５４は、前記押圧板５０の下面より下側方向に突出する。前記係止部５４は、シール部材２０に係止して、前記カッター５２で切断されたシール部材２０を前記内部蓋１４の内部に保持する。前記ロッキングリブ２００は、前記押圧板５０の外周面と前記外部蓋１６の内周面との間に形成される。前記ロッキングリブ２００は、前記押圧板５０の押圧に伴って切断されるまで、外部蓋１６に対する前記押圧板５０の連結状態を維持する。
【０１２０】
前記押圧板５０は、前記外部蓋１６の上側内周面と所定の間隔をあけて配置される。前記押圧板５０は、円板状に構成される。前記押圧板１５０の直径は、前記外部蓋１６の内径とほぼ同一で、上下方向に移動可能なように前記外部蓋１６の内周面に配置される。
【０１２１】
前記ロッキングリブ２００は、押圧板５０の外周面と外部蓋１６の内周面との間を連結する。前記ロッキングリブ２００は、所定の力を上回る力を加えて押圧板５０を押圧することで切断されるまで、外部蓋１６に対する押圧板５０の連結状態を維持する。
【０１２２】
前記ロッキングリブ２００は、所定の力を加えると切断されるような薄膜状構成である。所定の力を上回る力を加えて前記押圧板５０を押圧した場合、前記ロッキングリブ２００は切断され、前記押圧板５０の下側方向への移動が可能となる。
【０１２３】
所定の間隔を形成する前記押圧板５０の外周面と前記外部蓋１６の内周面との間を、複数のガイドリブ２０２が連結する。前記押圧板５０が下側方向に移動した場合、前記ガイドリブ２０２は、前記外部蓋１６に対する前記押圧板５０の連結状態を維持しながら、前記押圧板５０の下側方向への移動を案内する。
【０１２４】
前記ガイドリブ２０２は、Ｓ字状に構成される。前記ガイドリブ２０２の一端は、外部蓋１６の内周面に連結され、その他端は、押圧板５０の外周面に連結される。前記押圧板５０を下側方向に移動させると、前記ガイドリブ２０２が伸張することで、前記押圧板５０の下側方向への移動を案内するとともに、前記外部蓋１６に対する前記押圧板５０の連結状態を維持する。
【０１２５】
前記ガイドリブ２０２は、前記押圧板５０の外周面の挿入溝２０４及び前記外部蓋１６の内周面の挿入溝２０６にそれぞれ挿入された状態で配置される。
【０１２６】
前記２つの挿入溝２０４，２０６とガイドリブ２０２の湾曲部との間に、厚みを薄く構成した連結帯部２０８が形成される。前記連結帯部２０８は、Ｓ字状に構成された前記ガイドリブ２０２の形状を維持する。前記押圧板５０が下側方向に移動すると、前記連結帯部２０８は切断される。
【０１２７】
前記押圧板５０と外部蓋１６との間に、昇降支持部２１０が形成される。前記昇降支持部２１０は、前記押圧板５０が外部蓋１６内で垂直方向に移動できるように案内するとともに、前記外部蓋１６の回転に伴って前記押圧板５０を一緒に回転させる。
【０１２８】
前記昇降支持部２１０は、少なくとも一つのガイド溝部２１２と、少なくとも一つのガイド突起２１４と、で構成される。前記ガイド溝部２１２は、前記外部蓋１６の下面縁部に垂設され、下側方向に延在する。前記ガイド突起２１４は、前記押圧板５０の外周面に形成される。前記ガイド突起２１４は、前記ガイド溝部２１２に沿って上下方向に移動可能なように、前記ガイド溝部２１２に挿入される。
【０１２９】
前記押圧板５０が下側方向に移動すると、押圧板５０の外周面のガイド突起２１４が外部蓋１６の内周面のガイド溝部２１２に沿って下側方向に移動する。これにより、前記昇降支持部２１０は、前記押圧板５０が下側方向に垂直移動するように案内するとともに、前記外部蓋１６の回転力を押圧板５０に伝達し、前記押圧板５０を回転させる。
【０１３０】
前記カッター５２及び係止部５４の構成及び作用は、上述した第１実施形態と同様であるので、その詳細については説明を省略する。
【０１３１】
本発明の第５実施形態に係る小児用の安全蓋の作用について、以下に説明する。
【０１３２】
図２５及び図２６は、本発明の第５実施形態に係る小児用の安全蓋の作動状態を示した図である。
【０１３３】
容器１０内の充填物を外部に排出するために、使用者が外部蓋１６に連結された前記押圧板５０を下側方向に押圧すると、押圧板５０と外部蓋１６との間にあるロッキングリブ２００が切断されるとともに、前記押圧板５０が下側方向に移動する。この時、前記押圧板５０と外部蓋１６との間にあるＳ字状のガイドリブ２０２が、伸張して前記押圧板５０の下側方向への移動を案内し、外部蓋１６に対する押圧板５０の連結状態を維持する。
【０１３４】
前記押圧板５０が下側方向に移動すると、前記押圧板５０の下面にある各カッター５２の第１カット部６２がシール部材２０の縁部を刺通するとともに、係止部５４の支持ロッド６６がシール部材２０の中央を刺通する。
【０１３５】
前記シール部材２０の刺通と同時に、前記係止部５４の係止突起６８は、上側方向へ湾曲しながら前記支持ロッド６６のパンチ部７０があけた孔を通過する。前記係止突起６８は、いったんシール部材２０の内側に位置すると、原形状態の形状に弾性変形して広がる。
【０１３６】
次に、所定の力を上回る力を加えて外部蓋１６を把持して下側方向に移動させると、前記弾性部材３８が弾性変形して、外部蓋１６が移動する。これにより、外部蓋１６の第２係止突起４２が、前記内部蓋１４の第１係止突起４０の間に挿入され、第１係止突起４０と第２係止突起４２とが相互に係止した状態となる。また、前記外部蓋１６を回すと、前記外部蓋１６の回転力が内部蓋１４に伝達するので、前記内部蓋１４も回転して容器口部１２から離脱する。
【０１３７】
この時、前記昇降支持部２１０によって、外部蓋１６の回転力が押圧板５０に伝達するので、前記押圧板５０も外部蓋１６と一緒に回転する。前記押圧板５０が回転すると、前記カッター５２が容器口部１２の内周面に接触した状態で回転し、支持部６０の両側面の第２カット部６４が、前記シール部材２０を円形に切断する。シール部材２０は、係止部５４の係止突起６８に係止するので、前記内部蓋１４の内部に保持された状態で前記容器口部１２から除去されることになる。
【０１３８】
このように、シール部材２０を除去した状態の容器１０内の充填物を容器口部１２から外部に排出して、容器口部１２に蓋をし直すと、前記外部蓋１６は、弾性部材３８の弾性力で内部蓋１４の上面に向かって移動し、第１係止突起４０と第２係止突起４２とが相互に分離した状態となる。これにより、子供が外部蓋１６を回したとしても、外部蓋１６に加えた回転力が内部蓋１４に伝達することがない。
【０１３９】
また、子供が外部蓋１６を下側方向に移動させても外部蓋１６に加わる力は弱いため、弾性部材３８の弾性力によって外部蓋１６を下側方向に完全に移動させることができない。このような状態で、外部蓋１６を回転させたとしても、第２係止突起４２の傾斜面４８が第１係止突起４０の傾斜面４６に沿って摺動するので、内部蓋１４を開けることができない。
【０１４０】
図２７は、本発明の第６実施形態に係る小児用の安全蓋の断面図である。第６実施形態に係る小児用の安全蓋は、回転力伝達部を除き、上述した第５実施形態に係る小児用の安全蓋の構成と同様である。
【０１４１】
具体的には、本発明の第６実施形態に係る回転力伝達部２５０は、第１係止突起２５２と、第２係止突起２５４と、で構成される。前記第１係止突起２５２は、内部蓋１４の上面に所定の間隔をあけて放射状に配置される。前記第１係止突起２５２は、所定の長さで上側方向に突出する。前記第２係止突起２５４は、外部蓋１６の上側内面にある離脱防止突起３６の内面に所定の間隔をあけて放射状に配置される。前記第２係止突起２５４は、所定の長さを下側方向へ突出し、前記第１係止突起２５２に係止する。
【０１４２】
前記第２係止突起２５４には傾斜面が形成されるので、前記外部蓋１６を回すと、前記第１係止突起２５２が第２係止突起２５４の傾斜面に沿って摺動する。この場合、外部蓋１６の回転力が、前記内部蓋１４に伝達することはない。一方、前記外部蓋１６を下側方向に押圧した状態で回すと、前記第１係止突起２５２が第２係止突起２５４に係止するので、前記外部蓋１６の回転力が内部蓋１４に伝達する。これにより、前記内部蓋１４が回転して容器１０から蓋を離脱させることができる。
【０１４３】
図２８は、本発明の第７実施形態に係る小児用の安全蓋の断面図、図２９は、本発明の第７実施形態に係る小児用の安全蓋の作動状態を示した図、である。
【０１４４】
第７実施形態に係る小児用の安全蓋は、内部蓋１４と、外部蓋１６と、回転力伝達部１８と、シール部材除去ユニット２２と、保護板３００と、で構成される。前記内部蓋１４は、容器１０内の充填物が外部に排出される際に通過する容器口部１２に取り付けられる。前記外部蓋１６は、前記内部蓋１４が一緒に回転しないようにした状態で前記内部蓋１４の外周面に配置される。前記回転力伝達部１８は、前記内部蓋１４と前記外部蓋１６との間に形成される。前記回転力伝達部１８は、所定の力を上回る力を加えて前記外部蓋１６を下側方向に移動させる時のみ、前記外部蓋１６の回転力を前記内部蓋１４に伝達する。前記シール部材除去ユニット２２は、前記内部蓋１４に形成され、前記内部蓋１４を容器口部１２から離脱すると、前記容器口部１２を封入するシール部材２０を除去し、除去されたシール部材２０を内部蓋１４の内部に保持する。前記保護板３００は、前記外部蓋１６の上面に移動可能に取り付けられ、前記内部蓋１４に取り付けられたシール部材除去ユニット２２を保護する。
【０１４５】
前記内部蓋１４、前記外部蓋１６及び前記回転力伝達部１８の構成は、上述した第１実施形態と同様であるので、その詳細については説明を省略する。また、前記回転力伝達部１８については、上述した第１実施形態の構成に限定されるものではなく、前記第６実施形態で説明した回転力伝達部８０の構成を適用してもよい。
【０１４６】
前記保護板３００は、円板状に構成され、前記外部蓋１６の上側内周面に所定の間隔をあけて形成される。また、前記保護板３００の外周面と前記外部蓋１６の上側内周面との間に連結部３０２が形成される。前記連結部３０２は、前記保護板３００を外部蓋１６の内周面に連結する。前記連結部３０２は、前記保護板３００の上下方向への移動を案内し、弾性力で前記保護板３００を移動した位置にとどめる。
【０１４７】
前記連結部３０２は、前記保護板３００の外周面と前記外部蓋１６の内周面との間に形成される。前記連結部３０２は、薄膜のドーム状に構成される。所定の力を上回る力を加えて前記保護板３００を押圧すると、前記連結部３０２は弾性変形して前記保護板３００の下側方向への移動を案内する。
【０１４８】
前記連結部３０２は、弾性変形して前記保護板３００を所定の位置にとどめる。即ち、保護板３００が上側方向に突出した状態の場合、前記連結部３０２は、凸状のドーム形態となり、前記保護板３００の突出状態を維持する。一方、所定の力を上回る力を加えて前記保護板３００を押圧した場合、前記連結部３０２は、凹状に弾性変形して、下側方向に移動した位置に前記保護板３００をとどめる。
【０１４９】
前記シール部材除去ユニット２２は、押圧板５０と、複数のカッター５２と、係止部５４と、ロッキングリブ１７と、で構成される。前記押圧板５０は、前記内部蓋１４の上端内周面に連結される。前記押圧板５０は所定の力で押圧すると、連結状態が解除して下側方向に移動する。前記カッター５２は、前記押圧板５０の下面縁部に円周方向に形成される。前記カッター５２は、前記押圧板５０の押圧に伴ってシール部材２０を刺通する。また、前記カッター５２は、蓋の回転に伴ってシール部材２０を切断する。前記係止部５４は、前記押圧板５０の下面より下側方向に突出する。前記係止部５４は、シール部材２０に係止して、前記カッター５２で切断されたシール部材２０を前記内部蓋１４の内部に保持する。前記ロッキングリブ１７は、前記押圧板５０の外周面と前記内部蓋１４の内周面との間を連結する。前記ロッキングリブ１７は、前記内部蓋１４の内周面に対する前記押圧板５０の連結状態を維持する。前記押圧板５０を押圧すると、前記ロッキングリブ１７は切断され、前記押圧板５０の連結状態が解除される。
【０１５０】
第７実施形態に係るシール部材除去ユニット２２の構成は、押圧板５０が内部蓋１４の内周面に連結される点を除き、上述した第５実施形態と同様であるので、その詳細については説明を省略する。
【０１５１】
本発明の第７実施形態に係る小児用の安全蓋では、前記保護板３００を押圧すると、前記連結部３０２が弾性変形して前記保護板３００が下側方向に移動する。これに伴い、前記保護板３００の下面に配置された押圧板５０が下側方向に移動して、前記内部蓋１４のシール部材２０を除去するとともに、シール部材２０を内部蓋１４の内部に保持する。ここで、前記シール部材除去ユニット２２の作用は、上述した第５実施形態と同様であるので、その詳細については説明を省略する。
【０１５２】
図３０は、本発明の第８実施形態に係る小児用の安全蓋の斜視図、図３１は、本発明の第８実施形態に係る小児用の安全蓋の断面図、である。
【０１５３】
本発明の第８実施形態に係る小児用の安全蓋は、内部蓋１４と、外部蓋１６と、回転力伝達部１８と、シール部材除去ユニット２２と、で構成される。前記内部蓋１４は、容器１０内の充填物が外部へ排出される際に通過する容器口部１２に取り付けられる。前記外部蓋１６は、前記内部蓋１４が一緒に回転しないようにした状態で前記内部蓋１４の外周面に配置される。前記回転力伝達部１８は、前記内部蓋１４と外部蓋１６との間に形成され、所定の力を上回る力を加えて前記外部蓋１６を下側方向に移動させる時のみ、前記外部蓋１６の回転力を前記内部蓋１４に伝達する。前記シール部材除去ユニット２２は、前記内部蓋１４に形成される。前記シール部材除去ユニット２２は、前記内部蓋１４を容器口部１２から離脱した場合に容器内の充填物が少しずつ外部に排出されるように、前記容器口部１２を封入するシール部材２０の一部を除去する。前記シール部材除去ユニット２２は、除去されたシール部材２０を内部蓋１４の内部に保持する。
【０１５４】
前記内部蓋１４は、上端と下端が開口した円筒状構成であり、その内部に前記シール部材除去ユニット２２が設けられる。前記内部蓋１４の下側内周面に雌ネジ部２６が形成され、該雌ネジ部２６は、前記容器口部１２の外周面に形成された雄ネジ部２４に螺合する。前記雌ネジ部２６の上側内周面から、当接部２８が円周方向に突出する。前記当接部２８は、前記容器口部１２の上端に当接する。内部蓋１４の下側外周面には、前記外部蓋１６から離脱することを防止する離脱防止突起３０が形成される。
【０１５５】
前記外部蓋１６は、前記内部蓋１４が挿入された状態で上下方向に移動可能である。前記外部蓋１６は、上端と下端がそれぞれ開口した円筒状構成である。前記離脱防止突起３６は、前記内部蓋１４が外部蓋１６の上側方向へ離脱することを防止する。また、前記離脱防止突起３６に弾性部材３８が形成される。弾性部材３８は、前記内部蓋１４の上面に支持され、内部蓋１４よりも上側方向に移動した位置に前記外部蓋１６をとどめる。
【０１５６】
ここで、前記弾性部材３８の構成は、上述した第３実施形態と同様であるので、その詳細については説明を省略する。
【０１５７】
前記外部蓋の上面に、保護板１３が形成される。前記保護板１３は、内部蓋１４のシール部材除去ユニット２２を保護する
【０１５８】
前記保護板１３の構成は、上述した第３実施形態と同様であるので、その詳細については説明を省略する。
【０１５９】
前記回転力伝達部１８の構成は、上述した第３実施形態と同様であるので、その詳細については説明を省略する。
【０１６０】
前記シール部材除去ユニット２２は、容器口部１２を封入するシール部材２０の一部を除去して、内部蓋１４の内部に除去されたシール部材２０を保持する。即ち、容器１０内の充填物が少しずつ外部に排出されるように、シール部材２０に小孔が形成される。蓋が開いている場合に子供が容器１０内の充填物を飲もうとしても、容器１０内の充填物が少しずつ外部に排出されるので、子供に対する安全を確保することができる。
【０１６１】
前記シール部材除去ユニット２２は、押圧板３５０と、カッター３５２と、係止部３５４と、連結部３５６と、で構成される。前記押圧板３５０は、上下方向に移動可能なように前記内部蓋１４の内部に配置される。前記押圧板３５０は、使用者が保護板１３を押圧すると、前記保護板１３とともに下側方向に移動する。前記カッター３５２は、前記押圧板３５０の下面の円周方向に等間隔に配置して形成される。前記カッター３５２は、前記押圧板３５０の押圧に伴ってシール部材２０を刺通し、蓋の回転に伴ってシール部材２０の一部を切断する。前記係止部３５４は、前記押圧板３５０の下面より下側方向に突出する。前記係止部３５４は、前記カッター３５２で切断されたシール部材２０を内部蓋１４の内部に保持するように、シール部材２０に係止する。前記連結部３５６は、前記押圧板３５０の外周面と前記内部蓋１４の内周面との間に形成される。前記連結部３５６は、前記押圧板３５０の上下方向への移動を案内し、弾性力で前記押圧板３５０を移動した位置にとどめる。
【０１６２】
前記押圧板３５０は、円板状で、その直径は前記内部蓋１４の内径よりも小さく構成される。
【０１６３】
図３２は、本発明の第８実施形態に係るシール部材除去ユニットのカッターを示した斜視図である。
【０１６４】
図３２に示すように、前記カッター３５２は、支持部３６０と、第１カット部３６２と、第２カット部３６４と、保持部３６５と、で構成される。前記支持部３６０は、前記押圧板３５０の下面の円周方向に等間隔に鋭利な形状で形成される。前記第１カット部３６２は、前記支持部３６０の下端に形成される。前記第１カット部３６２は、押圧板３５０の押圧に伴って下側方向に移動し、前記シール部材２０を刺通する。前記第２カット部３６４は、前記支持部３６０の側面の少なくとも一方に形成される。前記第２カット部３６４は、前記内部蓋１４の回転に伴ってシール部材２０を円形に切断する。前記保持部３６５は、前記支持部３６０の前面に垂直方向に所定の深さの凹みを設けて形成される。前記保持部３６５は、除去されたシール部材２０の縁部を保持する。
【０１６５】
図３３に示すように、前記係止部３５４は、支持ロッド３６６と、複数の係止突起３６８と、で構成される。前記支持ロッド３６６は、所定の長さを前記押圧板３５０の下面から延在する。前記支持ロッド３６６は、前記シール部材２０を刺通する。前記複数の係止突起３６８は、前記支持ロッド３６６の側面に円周方向に形成される。前記複数の係止突起３６８は、前記カッター３５２で切断されたシール部材２０を内部蓋１４の内部に保持するように、シール部材２０に係止する。
【０１６６】
前記支持ロッド３６６は、棒状に構成されて、前記押圧板３５０の下側方向に延在する。前記支持ロッド３６６の端部に、鋭利な形状のパンチ部３７０が形成される。前記パンチ部３７０は、シール部材２０を刺通する。
【０１６７】
前記係止突起３６８は、前記支持ロッド３６６の外周面から４本延在させ、相互に９０°の角度をなすように構成するのが好ましい。
【０１６８】
前記連結部３５６は、前記押圧板３５０の外周面と前記内部蓋１４の内周面との間に形成される。前記連結部３５６は、薄膜のドーム状に構成される。前記連結部３５６は、所定の力を上回る力を加えて前記押圧板３５０を押圧すると弾性変形し、前記押圧板３５０の下側方向への移動を案内する。
【０１６９】
前記連結部３５６は、弾性変形して押圧板３５０を所定の位置にとどめる。即ち、押圧板３５０が上側方向に突出した状態の場合、前記連結部３５６は、凸状のドーム形態となり、前記押圧板３５０の突出状態を維持する。一方、所定の力を上回る力を加えて前記押圧板３５０を押圧すると、前記連結部３５６は、凹状に弾性変形して、前記押圧板３５０の押圧状態を維持する。
【０１７０】
本発明の第８実施形態に係る小児用の安全蓋の作用について、以下に説明する。
【０１７１】
図３４〜図３６は、本発明の第８実施形態に係る小児用の安全蓋の作動状態を示した図である。
【０１７２】
容器１０内の充填物を外部に排出するために、使用者が外部蓋１６に連結された前記保護板１３を下側方向に押圧すると、保護板１３と外部蓋１６との間を連結する連結リブ１７が切断され、前記保護板１３が下側方向に移動してシール部材除去ユニット２２の押圧板５０が押圧される。この時、前記保護板１３と外部蓋１６との間を連結するＳ字状のガイドリブ１５が、伸張して前記保護板１３が下側方向に移動するように案内し、外部蓋１６に対する保護板１３の連結状態を維持する。
【０１７３】
前記保護板１３によって押圧板３５０が下側方向に移動すると、前記連結部３５６が弾性変形して、前記押圧板３５０が下側方向に移動する。次に、前記押圧板３５０の下面にある各カッター３５２の第１カット部３６２が、シール部材２０を刺通するとともに、係止部３５４の支持ロッド３６６がシール部材２０の中央を刺通する。
【０１７４】
前記シール部材２０の刺通と同時に、前記係止部３５４の係止突起３６８は、上側方向へ湾曲しながら、前記支持ロッド３６６のパンチ部３７０があけた孔を通過する。前記係止突起３６８は、いったんシール部材２０の内側に位置すると、弾性変形して原形状態の形状に戻る。
【０１７５】
次に、使用者が外部蓋１６を把持して、所定の力を上回る力を加えて外部蓋１６を下側方向に移動させると、前記弾性部材３８が弾性変形して外部蓋１６が移動する。これにより、外部蓋１６の第２係止突起４２が前記内部蓋１４の第１係止突起４０の間に挿入され、外部蓋１６の第２係止突起４２と前記内部蓋１４の第１係止突起４０とが相互に係止する。この状態で前記外部蓋１６を回すと、前記外部蓋１６の回転力が内部蓋１４に伝達するので、前記内部蓋１４も回転して容器口部１２から離脱する。
【０１７６】
この時、前記カッター３５２の回転に伴って、支持部３６０の両側面の第２カット部３６４が前記シール部材２０の一部を円形に切断し、シール部材２０に小孔３８０を形成する。前記支持部３６０の保持部３６５が、前記容器口部１２から除去されたシール部材２０の縁部を保持し、前記係止部３５４の係止突起３６８が、除去されたシール部材２０の中央に係止するので、前記シール部材２０の一部は、内部蓋１４と一緒に容器口部１２から離脱し、前記内部蓋１４の内部に保持される。
【０１７７】
このように、シール部材２０の一部がシール部材除去ユニット２２で切断されて、シール部材２０に小孔３８０が形成されるだけであるため、蓋が開いている場合に子供が容器１０内の充填物を飲もうとしても、充填物は小孔３８０からゆっくり排出される。これにより、子供が摂取する充填物の量が抑制されるので、安全性の確保を図ることができる。
【０１７８】
そして、シール部材２０の一部を除去して容器１０内の充填物を容器口部１２から外部に排出した後、容器口部１２に蓋をし直すと、前記弾性部材３８の弾性力で、前記外部蓋１６が内部蓋１４の上側方向に移動し、第１係止突起４０と第２係止突起４２とが相互に分離した状態となる。これにより、子供が外部蓋１６を回したとしても、外部蓋１６に加えた回転力が内部蓋１４に伝達することがない。
【０１７９】
また、子供が外部蓋１６を下側方向に移動させても外部蓋１６に加わる力は弱いため、弾性部材３８の弾性力によって外部蓋１６を下側方向に完全に移動させることができない。このような状態で、外部蓋１６を回転させたとしても、第２係止突起４２の傾斜面４８が第１係止突起４０の傾斜面４６に沿って摺動するので、内部蓋１４を開けることができない。
【０１８０】
図３７は、本発明の第９実施形態に係る小児用の安全蓋の断面図である。
【０１８１】
本発明の第９実施形態に係る容器蓋の構成は、上述した第８実施形態のシール部材除去ユニット２２の代わりに、シール部材２０に孔をあけるシール部材パンチングユニット４００が形成される点を除けば、第８実施形態と同様である。
【０１８２】
即ち、本発明の第９実施形態に係る容器蓋は、内部蓋１４と、外部蓋１６と、回転力伝達部１８と、シール部材パンチングユニット４００と、で構成される。前記内部蓋１４は、容器１０内の充填物が外部へ排出される際に通過する容器口部１２に取り付けられる。前記外部蓋１６は、前記内部蓋１４が一緒に回転しないようにした状態で前記内部蓋１４の外周面に配置される。前記回転力伝達部１８は、前記内部蓋１４と外部蓋１６との間に形成され、所定の力を上回る力を加えて前記外部蓋１６を下側方向に移動させる時のみ、前記外部蓋１６の回転力を前記内部蓋１４に伝達する。前記シール部材パンチングユニット４００は、前記内部蓋１４に形成される。前記シール部材パンチングユニット４００は、容器内の充填物を少しずつ外部に排出させて子供に対する安全性を確保するため、前記シール部材に所定形状の孔をあける。
【０１８３】
前記内部蓋１４、外部蓋１６及び回転力伝達部１８の構成及び作用は、上述した第８実施形態と同様であるので、その詳細については説明を省略する。
【０１８４】
前記シール部材パンチングユニット４００は、押圧板４０２と、パンチ４０４と、連結部４０６と、で構成される。前記押圧板４０２は、上下方向に移動可能なように前記内部蓋１４の内部に配置される。前記押圧板４０２は、前記保護板１３の押圧に伴って下側方向に移動する。前記パンチ４０４は、前記押圧板４０２の下面中央に形成される。前記パンチ４０４は、前記押圧板４０２の押圧に伴って所定形状の孔をシール部材２０に形成する。前記連結部４０６は、前記押圧板４０２の外周面と前記内部蓋１４の内周面との間を連結する。前記連結部４０６は、前記押圧板４０２の上下方向への移動を案内し、弾性変形して前記押圧板４０２を所定の位置にとどめる。
【０１８５】
前記押圧板４０２は、円板状で、その直径は前記内部蓋１４の内径よりも小さく構成される。
【０１８６】
図３８〜図４０は、本発明の第９実施形態に係る小児用の安全蓋のパンチを例示した図である。
【０１８７】
図３８に示すように、前記パンチ４０４は、支持ロッド４１０と、刺通部４１２と、で構成される。前記支持ロッド４１０は、所定の直径で構成され、前記押圧板４０２の下面から垂直方向に延在する。前記刺通部４１２は、前記支持ロッド４１０の端部に形成される。前記刺通部４１２は、前記シール部材２０を刺通し、前記シール部材２０に円形状の孔４２０を形成する。
【０１８８】
前記押圧板４０２を押圧すると、前記パンチ４０４は下側方向に移動して、容器１０内の充填物が孔４２０から外部に排出されるように、前記シール部材２０に孔４２０を形成する。
【０１８９】
シール部材２０に孔４２０を形成するのは、前記容器１０内の充填物が前記孔４２０から少しずつ外部に排出されるようにして、充填物が一気に排出されるのを防止するためである。これにより、子供が容器蓋を開けて容器内１０の充填物を誤って飲もうとしても、子供が摂取する充填物の量が抑制されるので、子供に対する安全性を確保することができる。
【０１９０】
パンチ４０４の形状は、容器１０内に充填されるものの種類に応じて変更することが可能である。
【０１９１】
即ち、一番目に例示した前記パンチ４０４は、その一端が円錐状に構成され、食用油、シャンプー等の液状物質又は所定の濃度の液状物質を容器内に充填する場合に用いるのが好ましい。
【０１９２】
錠剤などの所定のサイズの固体が容器１０内に充填される場合には、容器１０内の充填物が一粒ずつ外部に排出されるように、シール部材２０に十字状の孔を形成する。即ち、図３９に示すように、二番目に例示するパンチ４１６は、ロッド部４１８と、刺通部４２２と、で構成される。前記ロッド部４１８は、前記押圧板４０２の下面から垂直方向に延在する。前記ロッド部４１８の断面は、十字状に構成される。前記刺通部４２２は、前記十字状のロッド部４１８の端部に鋭利な形状で形成される。前記刺通部４２２は、前記シール部材２０を刺通する。
【０１９３】
二番目に例示した前記パンチ４１６は、シール部材２０に十字孔を形成する。容器１０内に充填された錠剤等の固体を十字孔でせき止め、一粒ずつ取り出すようにして子供に対する安全性を向上させる。
【０１９４】
図４０に示すように、三番目に例示するパンチ４３０は、容器内の充填物がパウダーなどの粉末状物質である場合に用いるものである。三番目に例示した前記パンチ４３０は、押圧板４０２の下面に形成される複数のピン４３２を有する。即ち、三番目に例示した前記パンチ４３０は、前記容器１０を振ると、シール部材２０に形成された複数の微細孔から容器１０内のパウダーがゆっくり出るように構成されたものである。
【０１９５】
パンチは、上記に例示した構成以外に、容器内に充填されるものの種類に応じて変更することができる。
【０１９６】
前記連結部４０６の構成及び作用は、上述した第８実施形態と同様であるので、その詳細については説明を省略する。
【０１９７】
本発明の第９実施形態に係る小児用の安全蓋の作用について、以下に説明する。
【０１９８】
図４１は、本発明の第９実施形態に係る小児用の安全蓋の作動状態を示した図である。
【０１９９】
容器１０内の充填物を外部に排出するために、外部蓋１６に連結された前記保護板１３を下側方向に押圧すると、保護板１３と外部蓋１６との間を連結する連結部１７が切断され、前記保護板１３が下側方向に移動してシール部材パンチングユニット４００の押圧板４０２を押圧する。この時、前記保護板１３と外部蓋１６との間を連結するＳ字状のガイドリブ１５が、伸張して前記保護板１３の下側方向への移動を案内し、外部蓋１６に対する保護板１３の連結状態を維持する。
【０２００】
次に、前記保護板１３によって押圧板４０２が下側方向に移動すると、前記連結部４０６が弾性変形して、前記押圧板４０２が下側方向に移動する。これにより、前記押圧板４０２の下面にあるパンチ４０４が、シール部材２０を刺通して、シール部材２０に孔４２０を形成する。
【０２０１】
シール部材２０の刺通と同時に、前記パンチ４０４は、シール部材の所定の箇所に所定形状の孔４２０を形成する。
【０２０２】
次に、使用者が所定の力を上回る力を加えて外部蓋１６を把持して下側方向に移動させると、前記弾性部材３８が弾性変形して外部蓋１６が移動する。これにより、外部蓋１６の第２係止突起４２が、前記内部蓋１４の第１係止突起４０の間に挿入され、第１係止突起４０と第２係止突起４２とが相互に係止した状態となる。また、前記外部蓋１６を回すと、前記外部蓋１６の回転力が内部蓋１４に伝達するので、前記内部蓋１４も回転して容器口部１２から離脱する。
【０２０３】
シール部材パンチングユニット４００が、前記シール部材２０に孔４２０を形成するので、前記容器１０内の充填物が外部にゆっくり排出される。これにより、子供が容器蓋を開けて容器内１０の充填物を誤って飲もうとしても、子供が摂取する充填物の量が抑制されるので、子供に対する安全性を確保することができる。
【図１】
2014221669.tif 000003
【図２】
2014221669.tif 000004
【図３】
2014221669.tif 000005
【図４】
2014221669.tif 000006
【図５】
2014221669.tif 000007
【図６】
2014221669.tif 000008
【図７】
2014221669.tif 000009
【図８】
2014221669.tif 000010
【図９】
2014221669.tif 000011
【図１０】
2014221669.tif 000012
【図１１】
2014221669.tif 000013
【図１２】
2014221669.tif 000014
【図１３】
2014221669.tif 000015
【図１４】
2014221669.tif 000016
【図１５】
2014221669.tif 000017
【図１６】
2014221669.tif 000018
【図１７】
2014221669.tif 000019
【図１８】
2014221669.tif 000020
【図１９】
2014221669.tif 000021
【図２０】
2014221669.tif 000022
【図２１】
2014221669.tif 000023
【図２２】
2014221669.tif 000024
【図２３】
2014221669.tif 000025
【図２４】
2014221669.tif 000026
【図２５】
2014221669.tif 000027
【図２６】
2014221669.tif 000028
【図２７】
2014221669.tif 000029
【図２８】
2014221669.tif 000030
【図２９】
2014221669.tif 000031
【図３０】
2014221669.tif 000032
【図３１】
2014221669.tif 000033
【図３２】
2014221669.tif 000034
【図３３】
2014221669.tif 000035
【図３４】
2014221669.tif 000036
【図３５】
2014221669.tif 000037
【図３６】
2014221669.tif 000038
【図３７】
2014221669.tif 000039
【図３８】
2014221669.tif 000040
【図３９】
2014221669.tif 000041
【図４０】
2014221669.tif 000042
【図４１】
2014221669.tif 000043
【手続補正書】
【提出日】平成26年8月7日(2014.8.7)
【手続補正１】
【補正対象書類名】特許請求の範囲
【補正対象項目名】全文
【補正方法】変更
【補正の内容】
【特許請求の範囲】
【請求項１】
容器口部に取り付けられる内部蓋と、
該内部蓋が一緒に回転しないようにした状態で前記内部蓋の外周面に配置される外部蓋と、
前記内部蓋と該外部蓋との間に形成され、前記外部蓋を所定の力を上回る力を加えて下側方向に移動させる時のみ、前記外部蓋の回転力を前記内部蓋に伝達する回転力伝達部と、
前記内部蓋に形成され、前記内部蓋を容器口部から離脱すると、前記容器口部を封入するシール部材を除去し、除去されたシール部材を内部蓋の内部に保持するシール部材除去ユニットと、
で構成され、
前記内部蓋は、上端と下端が開口し、
前記内部蓋の下側内周面には、前記容器口部の外周面に形成された雄ネジ部に螺合する雌ネジ部が形成され、
前記内部蓋の下側外周面より、前記外部蓋から離脱することを防止する離脱防止突起が突出し、
前記外部蓋は、上下方向に移動可能な状態で前記内部蓋が挿入され、その上端と下端が開放し、
前記外部蓋の外周面には、使用者が把持して回すのが容易になる複数の凹凸部が形成され、
前記外部蓋の下側内周面から、前記内部蓋に係止する離脱防止突起が突出することを特徴とする小児用の安全蓋。
【請求項２】
前記外部蓋の上端には、弾性部材が形成され、
該弾性部材は、前記内部蓋の上面に支持され、前記外部蓋が内部蓋より上側方向に移動した状態を維持することを特徴とする請求項１に記載の小児用の安全蓋。
【請求項３】
前記弾性部材は、薄膜状に構成して、所定の弾性力で湾曲することを特徴とする請求項２に記載の小児用の安全蓋。
【請求項４】
前記回転力伝達部は、
円周方向に等間隔に配置されるとともに、所定の長さで前記内部蓋の下側外周面から突出する第１係止突起と、
円周方向に等間隔に配置されるとともに、所定の長さで前記外部蓋の内周面から突出し、前記外部蓋を下側方向に押圧すると、前記第１係止突起の間に挿入されることで前記第１係止突起に係止する第２係止突起と、
で構成されることを特徴とする請求項１に記載の小児用の安全蓋。
【請求項５】
前記第１係止突起の上端に、所定の傾斜角度で構成された傾斜面が形成されることを特徴とする請求項４に記載の小児用の安全蓋。
【請求項６】
前記第２係止突起は、前記第１係止突起の傾斜面と対向する面に前記第１係止突起の傾斜面と同一角度で形成された傾斜面を有することを特徴とする請求項５に記載の小児用の安全蓋。
【請求項７】
前記シール部材除去ユニットは、
上下方向に移動可能なように前記内部蓋の内部に配置される押圧板と、
前記押圧板の下面縁部に円周方向に形成され、前記押圧板の押圧に伴ってシール部材を刺通し、前記内部蓋の回転に伴ってシール部材を切断する少なくとも一つのカッターと、  前記押圧板の下面より下側方向に突出し、前記カッターで切断されたシール部材を前記内部蓋の内部に保持する係止部と、
前記押圧板の外周面と前記内部蓋の内周面との間に形成され、前記押圧板が上下方向に移動可能なように弾性変形する連結部と、
で構成されることを特徴とする請求項１に記載の小児用の安全蓋。
【請求項８】
前記押圧板は、円板状で、その直径は前記内部蓋の内径よりも小さく構成され、前記内部蓋の上面よりも低く配置されることを特徴とする請求項７に記載の小児用の安全蓋。
【請求項９】
前記カッターは、
前記押圧板の下面縁部に等間隔に配置して形成される複数の支持部と、
該支持部の下端に鋭利な形状で形成され、押圧板の押圧に伴って前記シール部材を刺通する第１カット部と、
前記支持部の少なくとも一方の側面に形成され、前記内部蓋の回転に伴ってシール部材を円形に切断する第２カット部と、
で構成されることを特徴とする請求項７に記載の小児用の安全蓋。
【請求項１０】
前記係止部は、
前記押圧板の下面から垂直方向に延在し、端部にシール部材を刺通するパンチ部が形成される支持ロッドと、
該支持ロッドの外周面から垂直方向に所定の長さを延在し、前記シール部材の刺通時に上側方向に湾曲して前記支持ロッドであけた孔を通過するとともに、前記シール部材の内側に位置すると原形状態の形状に広がって、前記シール部材の内側面に係止する係止突起と、
で構成されることを特徴とする請求項７に記載の小児用の安全蓋。
【請求項１１】
前記連結部は、薄膜のドーム状に構成され、前記押圧板の外周面と前記内部蓋の内周面との間に形成され、所定の力を上回る力を加えて前記押圧板を押圧すると弾性変形することを特徴とする請求項７に記載の小児用の安全蓋。
【請求項１２】
容器内の充填物が外部に排出される際に通過する容器口部に取り付けられる内部蓋と、 上下方向に移動可能なように前記内部蓋の外周面に配置される外部蓋と、
前記内部蓋の外周面と前記外部蓋の内周面との間に形成され、前記外部蓋の回転力を前記内部蓋に伝達するスプライン部と、
前記外部蓋と前記容器口部との間に形成され、前記内部蓋が容器口部に取り付けられると、前記外部蓋に嵌合する嵌合ユニットと、
で構成されることを特徴とする小児用の安全蓋。
【請求項１３】
前記外部蓋は、上端と下端が開口した円筒状構成であり、
前記外部蓋の上端と下端には、前記内部蓋の離脱を防止するストッパーが形成されることを特徴とする請求項１２に記載の小児用の安全蓋。
【請求項１４】
前記スプライン部は、
前記内部蓋の外周面の円周方向に等間隔に配置して形成される第１係止突起と、
前記外部蓋の内周面の円周方向に等間隔に配置して形成され、前記第１係止突起に噛合する第２係止突起と、
で構成されることを特徴とする請求項１２に記載の小児用の安全蓋。
【請求項１５】
前記嵌合ユニットは、
前記容器口部の下側外周面に形成されるフランジ部と、
該フランジ部の端部の円周方向に等間隔に配置して形成される第１嵌合突起と、
前記外部蓋の下側内周面の円周方向に等間隔に配置して形成され、前記第１嵌合突起の間に挿入されて嵌合する第２嵌合突起と、
で構成されることを特徴とする請求項１２に記載の小児用の安全蓋。
【請求項１６】
前記第１嵌合突起の一方の側面には、所定角度に傾斜した傾斜面が形成され、
前記第１嵌合突起の傾斜面と対向する前記第２嵌合突起の対向面に、前記第１嵌合突起の傾斜面と同一の角度で傾斜した傾斜面が形成されることを特徴とする請求項１５に記載の小児用の安全蓋。
【請求項１７】
前記内部蓋の内部に形成され、前記内部蓋が容器口部から離脱すると、前記容器口部を封入するシール部材を除去し、除去されたシール部材を内部蓋の内部に保持するシール部材除去ユニットをさらに備えることを特徴とする請求項１２に記載の小児用の安全蓋。
【請求項１８】
前記シール部材除去ユニットは、
上下方向に移動可能なように前記内部蓋の内部に配置される押圧板と、
前記押圧板の下面縁部に円周方向に形成され、前記押圧板の押圧に伴ってシール部材を刺通し、前記内部蓋の回転に伴ってシール部材を切断する少なくとも一つのカッターと、 前記押圧板の下面より下側方向に突出し、前記カッターで切断されたシール部材を前記内部蓋の内部に保持する係止部と、
前記押圧板の外周面と前記内部蓋の内周面との間に形成され、前記押圧板が上下方向に移動可能なように弾性変形する連結部と、
で構成されることを特徴とする請求項１７に記載の小児用の安全蓋。
【請求項１９】
容器の容器口部に取り付けられる内部蓋と、
該内部蓋が一緒に回転しないようにした状態で前記内部蓋の外周面に配置される外部蓋と、
前記内部蓋の下側外周面と前記外部蓋の内周面との間に配置され、所定の力を上回る力を加えて前記外部蓋を下側方向に移動させた時のみ前記外部蓋の回転力を前記内部蓋に伝達する回転力伝達部と、
前記内部蓋に形成され、前記内部蓋を容器口部から離脱すると、前記容器口部を封入するシール部材を除去し、除去されたシール部材を内部蓋の内部に保持するシール部材除去ユニットと、
前記外部蓋の上面に移動可能に取り付けられ、前記内部蓋に取り付けられた前記シール部材除去ユニットを保護する保護板と、
で構成され、
前記内部蓋は、上端と下端が開口し、
前記内部蓋の下側内周面には、前記容器口部の外周面に形成された雄ネジ部に螺合する雌ネジ部が形成され、
前記内部蓋の下側外周面より、前記外部蓋から離脱することを防止する離脱防止突起が突出し、
前記外部蓋は、上下方向に移動可能な状態で前記内部蓋が挿入され、その上端と下端が開放することを特徴とする小児用の安全蓋。
【請求項２０】
前記外部蓋の外周面には、使用者が把持して回すのが容易になる複数の凹凸部が形成され、
前記外部蓋の下側内周面から、前記内部蓋に係止する離脱防止突起が突出することを特徴とする請求項１９に記載の小児用の安全蓋。
【請求項２１】
前記外部蓋の上端には、弾性部材が形成され、
該弾性部材は、前記内部蓋の上面に支持され、前記外部蓋が内部蓋より上側方向に移動した状態を維持することを特徴とする請求項２０に記載の小児用の安全蓋。
【請求項２２】
前記弾性部材は、薄膜状に構成して、所定の弾性力で湾曲することを特徴とする請求項２１に記載の小児用の安全蓋。
【請求項２３】
前記回転力伝達部は、
円周方向に等間隔に配置されるとともに、所定の長さで前記内部蓋の下側外周面から突出する第１係止突起と、
円周方向に等間隔に配置されるとともに、所定の長さで前記外部蓋の内周面から突出し、前記外部蓋を下側方向に押圧すると、前記第１係止突起の間に挿入されることで前記第１係止突起に係止する第２係止突起と、
で構成されることを特徴とする請求項１９に記載の小児用の安全蓋。
【請求項２４】
前記保護板は、前記外部蓋の上側内周面に所定の間隔をあけて配置されるとともに、円板状に構成され、
前記保護板の外周面と前記外部蓋の上側内周面との間には、複数の連結リブが形成され、
該連結リブは、前記保護板の下側方向への移動に伴って切断されるまで、前記外部蓋に対する前記保護板の連結状態を維持することを特徴とする請求項１９に記載の小児用の安全蓋。
【請求項２５】
前記保護板の外周面と前記外部蓋の上側内周面との間に、ガイドリブが形成され、
該ガイドリブは、前記保護板が前記外部蓋に連結された状態で下側方向に移動するように前記保護板を案内することを特徴とする請求項１９に記載の小児用の安全蓋。
【請求項２６】
前記ガイドリブは、Ｓ字状に構成され、その一端が前記外部蓋の内周面に連結されるとともに、その他端が前記保護板の外周面に連結され、前記保護板の下側方向への移動に伴って伸張することを特徴とする請求項２５に記載の小児用の安全蓋。
【請求項２７】
Ｓ字状の前記ガイドリブの湾曲部に、厚みを薄く構成した連結帯部が形成され、
該連結帯部は、前記ガイドリブのＳ字形状を維持するとともに、前記保護板の下側方向
への移動に伴って切断されることを特徴とする請求項２６に記載の小児用の安全蓋。
【請求項２８】
前記シール部材除去ユニットは、
上下方向に移動可能なように前記内部蓋の内部に配置される押圧板と、
前記押圧板の下面縁部に円周方向に形成され、前記押圧板の押圧に伴ってシール部材を刺通し、前記内部蓋の回転に伴ってシール部材を切断する少なくとも一つのカッターと、 前記押圧板の下面より下側方向に突出し、前記カッターで切断されたシール部材を前記内部蓋の内部に保持する係止部と、
前記押圧板の外周面と前記内部蓋の内周面との間に形成され、前記押圧板が上下方向に移動可能なように弾性変形する連結部と、
で構成されることを特徴とする請求項１９に記載の小児用の安全蓋。
【請求項２９】
容器内の充填物が外部に排出される際に通過する容器口部に取り付けられる内部蓋と、 上下方向に移動可能なように前記内部蓋の外周面に配置される外部蓋と、
前記内部蓋の外周面と前記外部蓋の内周面との間に形成され、前記外部蓋の回転力を前記内部蓋に伝達するスプライン部と、
前記外部蓋と前記容器口部との間に形成され、前記内部蓋が容器口部に取り付けられると、前記外部蓋に嵌合する嵌合ユニットと、
前記内部蓋に形成され、前記内部蓋を容器口部から離脱すると、前記容器口部を封入するシール部材を除去し、除去されたシール部材を内部蓋の内部に保持するシール部材除去ユニットと、
前記外部蓋の上面に移動可能に取り付けられ、前記内部蓋に取り付けられた前記シール部材除去ユニットを保護する保護板と、
で構成され、
前記外部蓋は、上下方向に移動可能な状態で前記内部蓋が挿入され、その上端と下端が開放することを特徴とする小児用の安全蓋。
【請求項３０】
前記外部蓋の上端と下端には、前記内部蓋の離脱を防止するストッパーが形成されることを特徴とする請求項２９に記載の小児用の安全蓋。
【請求項３１】
前記保護板は、前記外部蓋の上側内周面に所定の間隔をあけて配置されるとともに、円板状に構成され、
前記保護板の外周面と前記外部蓋の上側内周面との間には、複数の連結リブが形成され、
該連結リブは、前記保護板の下側方向への移動に伴って切断されるまで、前記外部蓋に対する前記保護板の連結状態を維持することを特徴とする請求項２９に記載の小児用の安全蓋。
【請求項３２】
前記保護板の外周面と前記外部蓋の上側内周面との間に、ガイドリブが形成され、
該ガイドリブは、前記保護板が前記外部蓋に連結された状態で下側方向に移動するように前記保護板を案内することを特徴とする請求項３１に記載の小児用の安全蓋。
【請求項３３】
前記ガイドリブは、Ｓ字状に構成され、その一端が前記外部蓋の内周面に連結されるとともに、その他端が前記保護板の外周面に連結され、前記保護板の下側方向への移動に伴って伸張することを特徴とする請求項３２に記載の小児用の安全蓋。
【請求項３４】
Ｓ字状の前記ガイドリブの湾曲部に、厚みを薄く構成した連結帯部が形成され、
該連結帯部は、前記ガイドリブのＳ字形状を維持するとともに、前記保護板の下側方向への移動に伴って切断されることを特徴とする請求項３３に記載の小児用の安全蓋。
【請求項３５】
前記スプライン部は、
前記内部蓋の外周面の円周方向に等間隔に配置して形成される第１係止突起と、
前記外部蓋の内周面の円周方向に等間隔に配置して形成され、前記第１係止突起に噛合する第２係止突起と、
で構成されることを特徴とする請求項２９に記載の小児用の安全蓋。
【請求項３６】
前記嵌合ユニットは、
前記容器口部の下側外周面に形成されるフランジ部と、
該フランジ部の端部の円周方向に等間隔に配置して形成される第１嵌合突起と、
前記外部蓋の下側内周面の円周方向に等間隔に配置して形成され、前記第１嵌合突起の間に挿入されて嵌合する第２嵌合突起と、
で構成されることを特徴とする請求項２９に記載の小児用の安全蓋。
【請求項３７】
容器の容器口部に取り付けられる内部蓋と、
該内部蓋が一緒に回転しないようにした状態で前記内部蓋の外周面に配置される外部蓋と、
前記内部蓋と前記外部蓋との間に形成され、所定の力を上回る力を加えて前記外部蓋を下側方向に移動させた時のみ前記外部蓋の回転力を前記内部蓋に伝達する回転力伝達部と、
上下方向に移動可能なように前記外部蓋の上端内周面に配置される押圧板と、該押圧板の下面縁部に円周方向に形成され、前記押圧板の押圧に伴ってシール部材を刺通し、前記内部蓋の回転に伴ってシール部材を切断する複数のカッターと、前記押圧板の下面より下側方向に突出し、前記カッターで切断されたシール部材を前記内部蓋の内部に保持する係止部と、前記押圧板の外周面と前記外部蓋の内周面との間を連結し、前記外部蓋の内周面に対する前記押圧板の連結状態を維持し、前記押圧板の押圧に伴って切断されることで押圧板の連結状態を解除するロッキングリブと、からなるシール部材除去ユニットと、
で構成され、
前記外部蓋は、上下方向に移動可能な状態で前記内部蓋が挿入され、その上端と下端が開放することを特徴とする小児用の安全蓋。
【請求項３８】
前記ロッキングリブは、薄膜状に構成され、前記押圧板の外周面と外部蓋の内周面との間を連結し、所定の力を上回る力を加えて前記押圧板を押圧すると切断され、前記外部蓋に対する前記押圧板の連結状態を解除することを特徴とする請求項３７に記載の小児用の安全蓋。
【請求項３９】
前記押圧板の外周面と前記外部蓋の内周面との間に形成され、前記押圧板が下側方向に移動すると、前記押圧板が前記外部蓋に連結された状態で下側方向に移動するように前記押圧板を案内するガイドリブをさらに備えることを特徴とする請求項３７に記載の小児用の安全蓋。
【請求項４０】
前記ガイドリブは、Ｓ字状に構成され、その一端が前記外部蓋の内周面に連結されるとともに、その他端が前記押圧板の外周面に連結され、前記押圧板の下側方向への移動に伴って伸張することを特徴とする請求項３９に記載の小児用の安全蓋。
【請求項４１】
前記ガイドリブは、前記押圧板の外周面に形成された挿入溝と前記外部蓋の内周面に形成された挿入溝にそれぞれ挿入された状態で配置されることを特徴とする請求項４０に記載の小児用の安全蓋。
【請求項４２】
前記各挿入溝と前記ガイドリブの湾曲部との間に、薄板状の連結帯部が形成され、
該連結帯部は、前記押圧板の下側方向への移動に伴って切断されることを特徴とする請求項４１に記載の小児用の安全蓋。
【請求項４３】
前記押圧板と前記外部蓋との間に形成され、前記押圧板の上下方向への移動を案内するとともに、前記外部蓋の回転力を前記押圧板に伝達する昇降支持部をさらに備えることを特徴とする請求項３７に記載の小児用の安全蓋。
【請求項４４】
前記昇降支持部は、
前記外部蓋の下面縁部に下側方向へ垂直方向に形成される少なくとも一つのガイド溝部と、
前記押圧板の外周面に形成され、前記ガイド溝部に挿入されることで前記ガイド溝部に沿って上下方向に移動する少なくとも一つのガイド突起と、
で構成されることを特徴とする請求項４３に記載の小児用の安全蓋。
【請求項４５】
容器口部に取り付けられる内部蓋に形成され、前記内部蓋が容器口部から離脱すると、前記容器口部を封入するシール部材を除去し、除去されたシール部材を内部蓋の内部に保持するシール部材除去ユニットと、
前記内部蓋の外周面に配置された外部蓋の上面に移動可能に取り付けられる保護板と、 前記保護板の外周面と外部蓋の内周面との間に形成され、前記保護板の上下方向への移動を案内し、弾性変形して前記保護板を移動した位置にとどめる連結部と、
で構成され、
前記外部蓋は、上下方向に移動可能な状態で前記内部蓋が挿入され、その上端と下端が開放することを特徴とする小児用の安全蓋。
【請求項４６】
前記シール部材除去ユニットは、
上下方向に移動可能なように前記外部蓋の上端内周面に配置される押圧板と、
該押圧板の下面縁部に円周方向に形成され、前記押圧板の押圧に伴ってシール部材を刺通し、前記内部蓋の回転に伴ってシール部材を切断する複数のカッターと、
前記押圧板の下面より下側方向に突出し、前記カッターで切断されたシール部材を前記内部蓋の内部に保持する係止部と、
前記押圧板の外周面と前記外部蓋の内周面との間を連結し、前記外部蓋の内周面に対する前記押圧板の連結状態を維持し、前記押圧板の押圧に伴って切断されることで押圧板の連結状態を解除するロッキングリブと、
で構成されることを特徴とする請求項４５に記載の小児用の安全蓋。
【請求項４７】
前記連結部は、薄膜のドーム状に構成され、前記保護板の外周面と前記内部蓋の内周面との間に形成され、所定の力を上回る力を加えて前記押圧板を押圧すると弾性変形して前記保護板の下側方向への移動を案内することを特徴とする請求項４６に記載の小児用の安全蓋。